(57)【要約】  吸収性コアがバックシートの本体側に配置されたバックシートを有する吸収性物品が提供される。バックシートの裏側では、液体排出物検出回路として導電性パターンを担持する基材が提供され、液体排出物検出回路が電位発生装置に連結され、液体排出物検出を行い得る。少なくとも１つ、または複数の穴がバックシートを通って形成され、導電性パターンの部分を吸収性コアと連絡する。導電性パターンの表出された部分の長手方向に隣接する対は、吸収性コアの液体排出物を検出するための液体排出物検出領域を形成する。検出領域は吸収性コアに対して長手方向に配分される。
2015500068.tif 000002
【特許請求の範囲】
【請求項１】
電気的絶縁性のバックシートであって、前記バックシートの本体側の吸収性コアおよび前記バックシートの裏側の液体排出物センサを有する電気的絶縁性のバックシートと、少なくとも１つの穴であって、前記少なくとも１つの液体排出物センサを前記吸収性コアと連絡し、それによって前記少なくとも１つの穴を介して前記液体排出物センサに関連付けられた前記吸収性コアの一部分が乾燥した状態から湿潤した状態に変わった場合に前記液体排出物センサが変化した電気特性を示すようにする前記バックシートを通る少なくとも１つの穴と、を備えることを特徴とする吸収性物品。
【請求項２】
前記液体排出物センサが、前記少なくとも１つの穴を貫通して前記吸収性コアと連絡する第１および第２の間隔を置いて配置された導電性経路を有するようになされ、それによって前記第１の導電性経路と前記第２の導電性経路との間に配置された前記吸収性コアの部分が乾燥状態から湿潤状態に変わった場合、前記湿潤した吸収性コアを通過する導電性ブリッジが前記第１の導電性経路と前記第２の導電性経路との間に形成されることを特徴とする請求項１に記載の吸収性物品。
【請求項３】
前記液体排出物センサが、前記バックシートの共通の穴を貫通して前記吸収性コアと連絡する第１および第２の導電性経路を有するようになされ、それによって前記第１の導電性経路と前記第２の導電性経路との間に配置された前記吸収性コアの部分が乾燥状態から湿潤状態に変わった場合、前記湿潤した吸収性コアを前記穴の中で通過する導電性ブリッジが前記第１の導電性経路と前記第２の導電性経路との間に形成されることを特徴とする請求項１または２に記載の吸収性物品。
【請求項４】
前記液体排出物センサが、前記バックシートのそれぞれの穴を通る前記吸収性コアと連絡する第１および第２の導電性経路を有するようになされ、それによって前記第１の導電性経路と前記第２の導電性経路との間に配置された前記吸収性コアの部分が乾燥状態から湿潤状態に変わった場合、前記湿潤した吸収性コアを前記穴の間で通過する導電性ブリッジが前記第１の導電性経路と前記第２の導電性経路との間に形成されることを特徴とする請求項１または２に記載の吸収性物品。
【請求項５】
複数の液体排出物センサが設けられ、それぞれが前記吸収性コアのそれぞれの領域での液体排出物の存在を判定することができ、複数の穴が前記バックシートにさらに設けられ、各液体排出物センサが前記バックシートの少なくとも１つの穴を通って前記吸収性コアと連絡することを特徴とする請求項１から４のいずれか一項に記載の吸収性物品。
【請求項６】
複数の穴が前記バックシートに設けられ、各穴が前記吸収性コアに液体排出物センサの下にある導電性の部分を露出する、請求項１から５のいずれか一項に記載の吸収性物品。
【請求項７】
複数の前記穴、または各前記穴が長手方向に間隔を置いて配置され、長手方向軸が前記吸収性物品の前から後ろの方向に延在することを特徴とする請求項６に記載の吸収性物品。
【請求項８】
前記バックシートに複数の穴、および互いに電気的に絶縁され前記少なくとも１つの液体排出物センサを形成する複数の導電性経路があり、各前記穴がそれぞれの導電性経路を前記吸収性コアと連絡し、それによって吸収性コアが湿潤している場合に電流が１つの穴の前記導電性経路から別の穴の別の前記導電性経路に流れることができることを特徴とする請求項１から７のいずれか一項に記載の吸収性物品。
【請求項９】
前記バックシートが、前記少なくとも１つの穴を除いて、その他の点では前記吸収性コアから前記少なくとも１つの液体排出物センサを形成する導電性経路を電気的に絶縁することを特徴とする請求項１から８のいずれか一項に記載の吸収性物品。
【請求項１０】
前記少なくとも１つの穴の総面積が、前記吸収性物品が平坦に配置され前記吸収性コアが平面視された場合に、前記吸収性コアの総面積の５０％未満、４０％未満、３０％未満、２０％未満、または１０％未満であることを特徴とする請求項１から９のいずれか一項に記載の吸収性物品。
【請求項１１】
前記少なくとも１つの液体排出物センサを構成する導電性経路または電線の前記吸収性コアに露出された総面積が、吸収性物品が平坦に配置され吸収性コアを平面視した場合に前記導電性経路または電線の総面積の５０％未満、４０％未満、３０％未満、２０％未満、または１０％未満であることを特徴とする請求項１から１０のいずれか一項に記載の吸収性物品。
【請求項１２】
前記少なくとも１つの液体排出物センサを形成する導電性経路が電線の形態であることを特徴とする請求項１から１１のいずれか一項に記載の吸収性物品。
【請求項１３】
互いに側方に間隔を置いて配置された複数の長手方向に延在する導電線があり、長手方向軸が前記吸収性物品の前から後ろの方向にあることを特徴とする請求項１２に記載の吸収性物品。
【請求項１４】
前記少なくとも１つの穴が、前記各導電線の一部分を前記吸収性コアに露出することを特徴とする請求項１３に記載の吸収性物品。
【請求項１５】
各前記長手方向の導電線に対するそれぞれの穴があることを特徴とする請求項１３または１４に記載の吸収性物品。
【請求項１６】
それぞれの側方の導電線に接続された複数の間隔を置いて配置された長手方向の導電線があり、前記側方の導電線が、互いに長手方向に間隔を置いて配置され、前記少なくとも１つの液体排出物センサを形成するために、前記少なくとも１つの穴が各前記側方の導電線の一部分を前記吸収性コアに露出することを特徴とする請求項１から１１のいずれか一項に記載の吸収性物品。
【請求項１７】
前記側方の電線の一部分を露出するそれぞれの穴があることを特徴とする請求項１６に記載の吸収性物品。
【請求項１８】
前記少なくとも１つの液体排出物センサが、オープンループを回って電流を送ることができる前記オープンループの形状で形成された少なくとも１つの導電性経路を備え、前記少なくとも１つの穴が外側のレッグの一部分および戻りレッグの一部分を前記吸収性コアに露出し、前記吸収性コアが前記レッグの前記露出された部分の間で湿潤している場合に、完全なオープンループ形状の導電性経路を回って流れる電流とは対照的に、短絡回路が前記レッグの前記露出された部分の間で形成されることを特徴とする請求項１から１１のいずれか一項に記載の吸収性物品。
【請求項１９】
前記外側のレッグおよび前記戻りレッグの前記露出された部分が側方に離隔していることを特徴とする請求項１８に記載の吸収性物品。
【請求項２０】
前記バックシートに複数の長手方向に間隔を置いて配置された穴を備え、前記穴が前記外側のレッグおよび前記戻りレッグのうちの少なくとも１つを前記ループに沿った長手方向に間隔を置いて配置された位置における前記吸収性コアに露出することを特徴とする請求項１８または１９に記載の吸収性物品。
【請求項２１】
長手方向に互いに対して逆に配置されている第１および第２のそのような導電性経路を備えることを特徴とする請求項１８、１９、または２０に記載の吸収性物品。
【請求項２２】
前記長手方向に間隔を置いて配置された穴が、それぞれ前記第１および前記第２の導電性経路の前記外側のレッグおよび前記戻りレッグの一部分を前記吸収性コアに露出することを特徴とする請求項２０に従属する請求項２１に記載の吸収性物品。
【請求項２３】
前記少なくとも１つの液体排出物センサが、前記少なくとも１つの穴によって前記吸収性コアと部分的に連絡された導電性材料によって提供されていることを特徴とする請求項１から２２のいずれか一項に記載の吸収性物品。
【請求項２４】
前記少なくとも１つの液体排出物センサを形成する複数の導電性経路または電線があり、経路または電線のそれぞれは、前記少なくとも１つの穴によって部分的に露出されていることを特徴とする請求項２３に記載の吸収性物品。
【請求項２５】
各複数の導電線の一部が、前記バックシートのそれぞれの穴によって前記吸収性コアと連絡していることを特徴とする請求項２３に記載の吸収性物品。
【請求項２６】
前記少なくとも１つの液体排出物センサが、キャリアシートまたは基材上に配置される、請求項１から２５のいずれか一項に記載の吸収性物品。
【請求項２７】
前記キャリアシートが前記バックシートの前記裏側または裏面に取り付けられ、前記吸収性コアが前記バックシートの前面または本体側に配置されることを特徴とする請求項２６に記載の吸収性物品。
【請求項２８】
前記キャリアシートと前記バックシートの組み合わせが液体不透過性バックライナの一部分であり、好ましくは第３の層を含み、前記第３の層が液体不透過性であり、前記キャリアシートの裏側の上に配置され、液体排出物が通過するのを防止することを特徴とする請求項２６または２７に記載の吸収性物品。
【請求項２９】
前記バックシートが液体不透過性材料から作製され、前記バックシートがおむつのバックライナの少なくとも一部分であることを特徴とする請求項１から２８のいずれか一項に記載の吸収性物品。
【請求項３０】
前記吸収性物品が、液体透過性の本体側ライナも含み、前記吸収性コアが前記バックシートと前記本体側ライナとの間に挿入されていることを特徴とする請求項１から２９のいずれか一項に記載の吸収性物品。
【請求項３１】
前記少なくとも１つの液体排出物センサが、基材の本体側表面に印刷され、コーティングされ、または接着された複数の導電性部材から構成される、請求項１から３０のいずれか一項に記載の吸収性物品。
【請求項３２】
前記少なくとも１つの液体排出物センサから共通の接触区域に延在する複数の導電性リード線を含み、前記リード線が前記バックシートによって覆われていることを特徴とする請求項１から３１のいずれか一項に記載の吸収性物品。
【請求項３３】
複数の導電線が、前記バックシートによって部分的に覆われた第１の電気絶縁性の層に配置され、前記バックシートの前記少なくとも１つの穴によって露出された前記導電線の部分が前記吸収性コアと電気的に連絡し、それによって前記少なくとも１つの液体排出物センサの電極をもたらし、前記バックシートによって覆われた前記導電線の部分が、各電極と制御ユニット取付け区域との間に延在するリードを含み、前記バックシートが、前記リード線が前記吸収性コアから電気的に絶縁されたことを確実にし、前記電極が、複数の長手方向に間隔を置いて配置された液体検出領域が設けられるように配置され、各検出領域が、前記吸収性コアが乾燥している場合には互いに電気的に分離され、制御ユニットが電位を対応するリード線に接続し、前記吸収性コアが湿潤している場合に、導電性ブリッジが前記湿潤した吸収性コアによって電極の対の間に形成されるように配置された、１対の電極の間に画成され、着用時には長手方向軸が前記吸収性物品の前から後ろの方向に延在することを特徴とする請求項１から３２のいずれか一項に記載の吸収性物品。
【請求項３４】
前記電極が細長く側方に向けられ、前記リード線が細長く長手方向に向けられ、前記バックシートの前記少なくとも１つの穴が、前記導電線を露出して各前記電極を形成する窓を形成する複数の側方に向けられた細長い穴を含むことを特徴とする請求項３３に記載の吸収性物品。
【請求項３５】
前記バックシートが、前記少なくとも１つの穴によって露出された前記液体排出物センサの導電性部分の周りの絶縁材料のフレームを提供することを特徴とする請求項１から３４のいずれか一項に記載の吸収性物品。
【請求項３６】
前記バックシートの前記少なくとも１つの穴が、導電線または部材の部分を前記吸収性コアに露出する窓を形成して複数の液体排出物センサを形成する前記バックシートの複数の穴を含み、前記窓が長手方向に間隔を置いて配置され、それによって前記導電線または部材の露出された部分の長手方向に間隔を置いて配置された対の間にそれぞれの液体排出物センサを形成することを特徴とする請求項１から３５のいずれか一項に記載の吸収性物品。
【請求項３７】
前記少なくとも１つの液体排出物センサを構成する導電線または部材が、前記少なくとも１つ穴のうちの一方の側の前記少なくとも１つの穴に延在し、前記少なくとも１つの穴をブリッジし、前記少なくとも１つの穴の反対側で前記少なくとも１つの穴から延長し続けることを特徴とする請求項１から３６のいずれか一項に記載の吸収性物品。
【請求項３８】
前記少なくとも１つの液体排出物センサが、前記少なくとも１つの穴を介して前記吸収性コアと連絡する複数の長手方向に間隔を置いて配置された導電性部材を備え、前記吸収性コアと連絡する最前部の導電性部材、および前記吸収性コアの前記前から後ろへの長手方向軸に沿った前記吸収性コアと連絡する最後部の導電性部材が、少なくとも０．１Ｌ、０．２Ｌ、０．３Ｌ、０．４Ｌ、または０．５Ｌ離れた距離に配置され、ここでＬは前記吸収性物品が平坦に配置され平面視された場合の前記吸収性コアの長手方向の全長であることを特徴とする請求項１から３７のいずれか一項に記載の吸収性物品。
【請求項３９】
前記少なくとも１つの液体排出物センサが、前記少なくとも１つの穴を介して前記吸収性コアと連絡する長手方向に隣接する導電性部材の少なくとも１つの、好ましくは複数の対を備え、隣接する導電性部材の前記対（または導電性部材の複数の対が提供された場合の前記吸収性コアの側方中心軸に最も近い対）が、０．８Ｌ、０．７Ｌ、０．６Ｌ、または０．５Ｌ以下で離れた距離に配置され、ここでＬは前記吸収性物品が平坦に配置され平面視された場合の前記吸収性コアの長手方向の全長であることを特徴とする請求項１から３８のいずれか一項に記載の吸収性物品。
【請求項４０】
前記少なくとも１つの液体排出物センサが少なくとも０．５Ｌ、０．６Ｌ、０．７Ｌ、０．８Ｌ、または０．９Ｌにわたって長手方向に配分された複数の液体排出物センサを備え、ここでＬは前記吸収性物品が平坦に配置された場合平面視されたときの前記吸収性コアの全長であることを特徴とする請求項１から３９のいずれか一項に記載の吸収性物品。
【請求項４１】
基材上に導電性パターンを用意するステップと、少なくとも１つの穴を含む吸収性物品用の電気絶縁性のバックシートの材料を用意するステップと、吸収性コアを用意するステップと、前記基材が前記バックシートの裏側に配置され、前記吸収性コアが前記バックシートの本体側に配置され、それによって前記導電性パターンの一部分が前記少なくとも１つの穴を介して前記吸収性コアに露出され、それにより、下位部分を接続する前記吸収性コアの部分が乾燥した状態から湿潤した状態に変化した場合に、電流が前記導電性パターンの前記一部分の前記下位部分の間で変更されるように前記吸収性物品を作製するステップと、を含むことを特徴とする吸収性物品を作製する方法。
【請求項４２】
前記湿潤した吸収性コアの前記部分が、前記下位部分の間に導電性ブリッジを形成し、それによって前記乾燥した吸収性コアと比べて電気特性に測定可能な効果がもたらされることを特徴とする請求項４１の方法。
【請求項４３】
前記下位部分が、互いに電気的に分離した前記導電性パターンの一部分であり、前記湿潤した吸収性コアが前記電気的に分離された部分の間に導電性ブリッジをもたらすことを特徴とする請求項４１または４２に記載の方法。
【請求項４４】
前記下位部分が、電気的に接続された前記導電性パターンの一部分であるが、前記湿潤した吸収性コアが抵抗の低い導電性経路を提供する導電性ブリッジを形成することを特徴とする請求項４１または４２に記載の方法。
【請求項４５】
前記少なくとも１つの穴が複数の穴であり、各穴が導電性パターンの一部分を前記吸収性コアに露出することを特徴とする請求項４１から４４のいずれか一項に記載の方法。
【請求項４６】
前記複数の穴のうちの少なくともいくつかが、前記吸収性コアに沿って長手方向に間隔を置いて配置され、各複数の穴が前記導電性パターンの一部分を前記吸収性コアに露出することを特徴とする請求項４５に記載の方法。
【請求項４７】
前記導電性パターンの一部分をそれぞれ露出する少なくとも２個、３個、４個、５個、６個、７個、８個、または９個の前記バックシートの穴を備えることを特徴とする請求項４１から４５のいずれか一項に記載の方法。
【請求項４８】
前記導電性パターンが複数の導電線を備えることを特徴とする請求項４１から４７のいずれか一項に記載の方法。
【請求項４９】
前記導電線が、前記吸収性コアを通過する中央の長手方向軸に対して長手方向および／または側方に向けられ、したがって吸収性物品が平面視され平坦に配置された場合に細長くなっていることを特徴とする請求項４８に記載の方法。
【請求項５０】
前記少なくとも１つの穴によって前記吸収性コアに露出された前記導電性パターンの前記一部分が、前記長手方向の電線または前記側方の電線の部分であることを特徴とする請求項４９に記載の方法。
【請求項５１】
前記吸収性コアに露出された前記導電性パターンの前記一部分が前記導電性パターンの少ない割合の部分であることを特徴とする請求項４１から５０のいずれか一項に記載の方法。
【請求項５２】
前記導電性パターンの部分が、前記電気絶縁性の層によって前記湿潤した吸収性コアと導電性ブリッジを形成するのを防止され、それによって前記湿潤した吸収性コアを通る電流が前記導電性パターンの前記露出された部分によってのみ形成さることを特徴とする請求項４１から５１のいずれか一項に記載の方法。
【請求項５３】
前記防止された部分が、前記吸収性物品が平面視され平坦に配置された場合に前記吸収性コアの下に配置されることを特徴とする前記導電性パターンの区域の主要な部分である、請求項５２に記載の方法。
【請求項５４】
前記バックシートと前記基材の組み合わせが、前記吸収性物品の液体不透過性の外側ライナの少なくとも一部分を提供し、好ましくは第３の層が前記基材の裏側に設けられ、前記第３の層が液体不透過性であることを特徴とする請求項４１から５３のいずれか一項に記載の方法。
【請求項５５】
第１の電気絶縁性の層、および第１の電気絶縁層と第２の電気絶縁層との間に挿入された複数の導電線または部材とともに積層された第２の電気絶縁性の層を備える積層であって、各前記導電線または部材が、互いに電気的に分離し、前記第２の電気絶縁性の層が少なくとも１つの穴を含み、各前記導電線または部材の一部分を露出し、前記積層は吸収性コアが前記第２の絶縁層に配置可能であり、前記露出された部分を前記吸収性コアで覆い、それによって前記吸収性コアが前記露出された部分の前記それぞれの位置で湿潤した場合、電流が前記露出された部分から前記吸収性コアに通過することができるようになっていることを特徴とする積層。
【請求項５６】
複数の穴が前記第２の絶縁層に設けられ、各穴が前記導電線または部材の一部分を露出することを特徴とする請求項５５に記載の積層。
【請求項５７】
前記穴のうちの少なくとも１つ、または少なくともいくつか、またはすべてが、その他の穴から長手方向に間隔を置いて配置されることを特徴とする請求項５６に記載の積層。
【請求項５８】
前記積層が細長く、前記導電線または部材の前記露出された部分の少なくとも１つ、いくつか、またはすべてが長手方向に離隔することを特徴とする請求項５５、５６、または５７に記載の積層。
【請求項５９】
少なくとも３個、４個、５個、６個、７個、８個、または９個以上の導電線または部材がある、請求項５５から５８のいずれか一項に記載の積層。
【請求項６０】
複数の穴の対が前記第２の絶縁層を通して設けられ、前記対の前記穴が互いに長手方向または側方に間隔を置いて配置され、前記穴の対が互いに側方または長手方向に間隔を置いて配置され、各穴が前記導電線または部材の部分を露出させることを特徴とする請求項５５から５９のいずれか一項に記載の積層。
【請求項６１】
前記積層が液体不透過性であることを特徴とする請求項５５から６０のいずれか一項に記載の積層。
【請求項６２】
前記導電線が長手方向に向けられていることを特徴とする請求項５５から６１のいずれか一項に記載の積層。
【請求項６３】
前記導電線が、露出された部分のいずれかの側に導電線の延長方向に対して延長し続けることを特徴とする請求項５５から６２のいずれか一項に記載の積層。
【請求項６４】
前記導電線の前記露出された部分が、前記積層の長手方向に対して長手方向に配分され、少なくとも１ｃｍ、２ｃｍ、または３ｃｍの最小距離で１つまたは複数の、隣接して露出された部分から長手方向に離隔され、２０ｃｍ、１５ｃｍ、または１０ｃｍの最大距離で離隔されていることを特徴とする請求項５５から６３のいずれか一項に記載の積層。
【請求項６５】
請求項５６から６４のうちのいずれか一項に記載の前記積層を用意するステップと、吸収性物品のバックシートとして前記積層によって吸収性物品を形成するステップと、吸収性コアを第２の絶縁層に配置し、前記露出された部分が前記吸収性コアと電気的に接触するようにするステップと、前記バックシートと前記吸収性コアを含む前記吸収性物品を形成するステップとを含むことを特徴とする吸収性物品を製造する方法。
【請求項６６】
前記積層を提供するステップが、前記積層を作成するステップを含み、前記積層が前記第１の絶縁層を形成するための第１の材料のウェブ、前記第２の絶縁層を形成するための第２の材料のウェブを供給するステップ、および前記導電線または部材を前記第１の材料のウェブと前記第２の材料のウェブとの間に積層ステップで挿入するステップによって作製されることを特徴とする請求項６５に記載の方法。
【請求項６７】
前記少なくとも１つの穴を設けるために、前記第２の材料のウェブに少なくとも１つの穴を形成するステップを含むことを特徴とする請求項６６に記載の方法。
【請求項６８】
前記第１の材料のウェブに前記導電線または導電性部材を印刷、コーティング、または接着するステップを備えることを特徴とする請求項６６または６７に記載の方法。
【請求項６９】
糸またはワイヤの形態の複数の導電線を供給するステップと、前記積層ステップで前記導電線を前記第１の材料のウェブと前記第２の材料のウェブとの間に挿入するステップを含むことを特徴とする請求項６６または６７に記載の方法。
【請求項７０】
電気絶縁性の層の上側に延在し、吸収性物品の吸収性コアと電気的に接触する複数の導電線を備え、前記複数の導電線が前記電気絶縁性の層を通って延在し、第１の方向に前記電気絶縁性の層の下側に延在し、前記導電線が前記電気絶縁性の層の前記上側および下側に横断方向に延在し、それぞれのリード線が、前記電気絶縁性の層の前記下側の各導電線と、制御ユニット取付け領域との間に長手方向に延在することを特徴とする吸収性物品。
【請求項７１】
少なくとも２個、３個、４個、５個、６個、７個、８個、または９個以上の導電線があることを特徴とする請求項６６に記載の吸収性物品。
【請求項７２】
前記導電線のうちの少なくともいくつかが、互いに長手方向に間隔を置いて配置されることを特徴とする請求項７０または７１に記載の吸収性物品。
【請求項７３】
前記リード線が基材に配置され、前記基材が前記電気絶縁性の層の下側に取り付けられ、前記リード線と前記導電線を接続することを特徴とする請求項７０、７１、または７２に記載の吸収性物品。
【請求項７４】
前記電気絶縁性の層の下側での導電線の横断方向の延長が、前記制御ユニット取付け領域からの長手方向距離が増加すると漸進的に増加することを特徴とする請求項７０から７３のいずれか一項に記載の吸収性物品。
【請求項７５】
前記電気絶縁性の層の下側の少なくとも一部分が前記吸収性物品の裏側の外面を形成することを特徴とする請求項７０から７４のいずれか一項に記載の吸収性物品。
【請求項７６】
側方の前記導電線が、前記電気絶縁性の層に縫い込まれて前記電気絶縁性の層を通って延在して前記電気絶縁性の層の両側に横断方向に延在する導電糸であることを特徴とする請求項７０から７５のいずれか一項に記載の吸収性物品。
【請求項７７】
前記導電糸が、ワイヤまたは導電性材料がコーティングされたポリマー材料であることを特徴とする請求項７６の吸収性物品。
【請求項７８】
前記リード線が、前記電気絶縁性の層の下側に取り付けられた基材にコーティングされ、または印刷されることを特徴とする請求項７０から７７のいずれか一項に記載の吸収性物品。
【請求項７９】
前記基材が、前記リード線を形成するためにその上に堆積された導電性フォイルまたは導電性インクを有することを特徴とする請求項７８に記載の吸収性物品。
【請求項８０】
前記基材が前記制御ユニット取付け領域を形成することを特徴とする請求項７３、７８または７９に記載の吸収性物品。
【請求項８１】
前記制御ユニット取付け区域が、好ましくは前記吸収性物品のウエスト縁部から突出する、突出するタブ様部材の形態であることを特徴とする請求項７３から８０のいずれか一項に記載の吸収性物品。
【請求項８２】
前記リード線が、長手方向のストライプのようにほとんどの部分に設けられていることを特徴とする請求項７３から８１のいずれか一項に記載の吸収性物品。
【請求項８３】
複数の導電性ユニットであって、それぞれバックシートを電気的に絶縁する本体側に配置された導電性部分、前記バックシートの裏側に配置され延在する導電線または部材、および前記導電線と前記導電性部分を前記バックシートに通過させることによって接続する導電性経路を備える複数の導電性ユニットを有する電気的に絶縁するバックシートを用意するステップと、複数の導電性リード線が配置された基材を用意するステップと、前記バックシートの前記裏側に前記基材を配置してリード線がそれぞれ前記バックシートの前記裏側の前記導電線または部材に接続するようにするステップを含む、吸収性物品を製造する方法であって、前記吸収性物品が前記バックシートの前記本体側に配置された吸収性コアを有して作製されて前記吸収性コアが乾燥状態から湿潤状態に変化した場合に前記バックシートの前記本体側の前記導電性部分が電気特性の変化を判定するために使用可能であることを特徴とする方法。
【請求項８４】
前記導電性リード線が、長さが交互に変わり、前記導電線または部材が、長さが交互に変わり、それによって各リード線が導電線と交差する際に他の導電線または部材とは交差しないことを特徴とする請求項８３に記載の方法。
【請求項８５】
各リード線が、電位発生装置と接触するための共通の接触区域に延在することを特徴とする請求項８３または８４に記載の方法。
【請求項８６】
前記基材が前記共通の接触区域を提供することを特徴とする請求項８３、８４、または８５に記載の方法。
【請求項８７】
前記基材が、前記共通の接触区域において前記バックシートから突出することを特徴とする請求項８６に記載の方法。
【請求項８８】
前記導電性部分が、前記吸収性コアが乾燥している場合に互いに電気的に分離され、前記導電線または部材が互いに電気的に分離され、前記導電性リード線が互いに電気的に分離され、導電性ブリッジが、前記吸収性コアが湿潤している場合に作動された導電性部分の間に形成され、前記吸収性コアが乾燥している場合には存在しないことを特徴とする請求項８３から８７のいずれか一項に記載の方法。
【請求項８９】
前記導電性部分が、前記バックシートの本体側に延在する導電線の形態であることを特徴とする請求項８３から８８のいずれか一項に記載の方法。
【請求項９０】
前記バックシートの前記本体側の前記導電線が、等しい長さのものであることを特徴とする請求項８９に記載の方法。
【請求項９１】
前記バックシートの前記本体側の前記導電線が側方に向けられ、互いに長手方向に間隔を置いて配置されることを特徴とする請求項８９または９０に記載の方法。
【請求項９２】
前記バックシートの前記裏側の前記導電線が側方に向けられていることを特徴とする請求項８３から９１のいずれか一項に記載の方法。
【請求項９３】
前記導電性リード線が、ほとんどの部分で、前記吸収性物品で構成されたように長手方向に向けられることを特徴とする請求項８３から９２のいずれか一項に記載の方法。
【請求項９４】
前記導電性ユニットの導電性経路と前記導電性部分を接続する各導電線または部材が連続している、請求項８３から９３のいずれか一項に記載の方法。
【請求項９５】
前記導電性ユニットが導電糸またはワイヤによって形成されることを特徴とする請求項８３から９４のいずれか一項に記載の方法。
【請求項９６】
当該方法が、前記吸収性物品の前記バックシートを通して前記導電糸を縫い付けるステップを含むことを特徴とする請求項９５に記載の方法。
【請求項９７】
前記導電性リード線が、フォイル、コーティング、または前記リード線を印刷することなどの前記基材上の層によってもたらされることを特徴とする請求項８３から９６のいずれか一項に記載の方法。
【請求項９８】
コーティング、接着、または印刷などにより、前記導電性リード線を前記基材に適用するステップを含むことを特徴とする請求項９６に記載の方法。
【発明の詳細な説明】
【技術分野】
【０００１】
本発明は、吸収性物品の着用者の液体排出物を検出するための水分検出器を備える吸収性物品に関する。
【背景技術】
【０００２】
特許文献１は、おむつの外側カバーの内表面に印刷または積層された第１から第４の導電性経路を有するおむつを開示している。第１の導電性経路は、おむつの前部領域からウエスト領域に中央領域を通って長手方向に延在し、基準電極として機能する。導電性パッドが第１の導電性経路の前部ウエストバンド端部に配置されている。第２から第４の導電性経路は、蛇行形態をとり、おむつの前部ウエスト領域、股領域および後部ウエスト領域にそれぞれ配置される。リード線は、第１から第４の導電性経路の各々を吸収性物品の前部ウエストバンド部分に配置されたそれぞれの導電性パッドに接続する。
【０００３】
信号装置が、前部ウエストバンド部分で第１から第４の導電性パッドに取り付けられ得る。信号装置は、第１の導電性経路と第２から第４の導電性経路の各々との間に電位を印加するように構成され、液が２つの導電性経路をブリッジして閉回路を形成することに基づいて、前部、股、および後部のおむつの領域にある液の存在を個別に判定することができる。
【０００４】
特許文献１の装置での問題は、蛇行する導電性経路と導電性パッドとの間に延在するリード線が吸収性コアと電気的に連絡していることである。このことは、リード線と第１の導電性経路または基準電極との間に短絡回路が生じるおそれがあり、それは実際にはリード線のところでの液体排出物によりトリガが生じているときに液体排出物が蛇行経路領域にあるという表示を与えることを意味する。
【０００５】
上述の誤検出を低減または排除する水分検出器を備える吸収性物品を提供することが望ましい。
【０００６】
特許文献１の装置では、水分検出器は領域が分離した様式で水分検出を行うが、示されたレイアウトでは、液体排出物が、第１の導電性経路または基準電極と蛇行する導電性経路との間で側方にあるように十分に側方に広がることが必要になる。そのようなアーキテクチャでは、導電性経路がブリッジされる区域は中心から外れて曲がっているが、液体排出物を主に受ける区域は、物品の長手方向の中心線である。
【０００７】
本発明の目的は、液体排出物の長手方向の広がりを検出することができ、側方に曲がっていない少なくとも１つの水分検出器装置を提供することである。また、製造するのに便利な形でこの目的を果たすことが望ましい。
【０００８】
特許文献１は、上述の蛇行領域に基づく導電性経路に対してより簡単な構造を開示している。このより簡単な代替では、吸収性物品はおむつの前部から後部に長手方向に延在する２つの平行な導電性経路を有する。ある程度容易に製造されるものの、このアーキテクチャでは液体排出物の長手方向の広がりの判定ができるようにならない。製造が比較的簡単明瞭であるが、長手方向の湿潤の識別を可能にする吸収性物品が望まれている。
【先行技術文献】
【特許文献】
【０００９】
【特許文献１】ＷＯ２００７／０７０２６７Ａ１
【発明の概要】
【発明が解決しようとする課題】
【００１０】
本発明は、水分検出器を備える吸収性物品に関する上記の目的および望ましい特性を解決することを目的としている。
【課題を解決するための手段】
【００１１】
本発明の第１の態様では、液体排出物を吸収するための吸収性コア、および電気絶縁性の第２の層によって部分的に覆われた任意で電気絶縁性の第１の層に配置された複数の導電線を備える吸収性物品が提供され、第２の絶縁層の少なくとも１つの開口部によって露出された導電線の部分が吸収性コアと電気的に連絡し、それによって吸収性コアの液体排出物を検出するための電極を提供し、第２の絶縁層によって覆われた導電線の部分は、各電極と制御ユニット取付け区域との間に延在するリード線を提供し、第２の絶縁層はリード線が吸収性コアから電気的に絶縁されることを確実にし、電極は、複数の長手方向に間隔を置いて配置された液体検出領域が提供されるように配置され、各検出領域は、吸収性コアが乾燥している場合に互いに電気的に分離され、制御ユニットが電位を対応するリード線に接続する場合に、また吸収性コアが湿潤している場合に、１対の電極の間に湿潤した吸収性コアによって導電性ブリッジが形成されるように配置された１対の電極の間に画成され、着用時に長手方向軸が吸収性物品の前後方向に延在する。
【００１２】
本発明の第１の態様は、吸収性コアが湿潤している場合に導電性ブリッジを形成する電極によって形成された、いくつかの検出領域を電極の間に長手方向に配分することによって、液体排出物の広がりを長手方向に識別することができる、電極アーキテクチャを提供する。このように、いくつかの分離された電極を長手方向に配分することは、いくつかの長手方向に延在するリード線が必ずあることを意味する。これらのリード線は、それ自体が導電性ブリッジをそれらの間に形成するおそれがあり、それによって誤解を生じる検出結果がもたらされる。第２の絶縁層は、湿潤した吸収性コアを通るリード線の間にそのような導電性経路が形成することを防止することによって、この問題を回避する。さらに、このアーキテクチャは、積層構造の形で製造するのに便利な様式で実現される。リード線が検出結果を妨げずに吸収性コアと重なり合うことができるので、本発明には設計の柔軟性がある。
【００１３】
すなわち、本発明の第１の態様では、吸収性物品が平坦に配置され本体側から平面視された場合に、吸収性コアは、第２の絶縁層と下側にあるリード線を形成する導電線との少なくとも一部分に重なる。さらに、吸収性コアは、電極を形成する導電線の露出された部分に重なる。
【００１４】
使用の際には、吸収性物品が着用された場合に、尿などの液体排出物が吸収性コアに進入し、湿潤した吸収性コアが第２の絶縁層および電極と少なくとも部分的に接触させられる。電極の対の間に対応するリード線を介して電位が印加され、吸収性コアの液体排出物が導電性ブリッジを電極の間に生じ、電流が電極間に流れることができるようになる。吸収性コアが乾燥している場合、電極は互いに電気的に分離されている。第２の絶縁層は、電流がリード線から湿潤した吸収性コアを通過するのを防止する。
【００１５】
一実施形態では、第２の絶縁層の少なくとも１つの開口部が、導電線を吸収性コアに露出して電極を形成する少なくとも１つの窓を提供する少なくとも１つの穴を含み、少なくとも１つの窓は、導電線が第２の絶縁層によって部分的に覆われてリード線を形成するように配置される。この構成は、第２の層に穴をパンチ加工することしか必要としないので、製造が容易な様式で電極を露出することを可能にする。
【００１６】
一実施形態では、第２の絶縁層の少なくとも１つの開口部は、第２の絶縁層の複数の穴を含み、複数の窓を提供し、１つの窓が電極を形成する導電線の各部分を露出する。この実施形態は、絶縁材料のフレームを各電極の周りに提供し、穴を適切に配置することによって、製造するのに便利な様式で電極が明確に画成されることを確実にする。
【００１７】
１つの実施形態では、電極は細長くかつ側方に向けられ、リード線は細長く長手方向に向けられている。この構造は、製造者が側方に向けられた電極の間に長手方向に間隔を置いて配置された検出領域を便利に画成できるようにする。より細かな分解能の領域が、長手方向に間隔を置いて配置され側方に向けられた電極の数を増加させることによって得られる。１つの実施形態では、３個、４個、５個、６個、７個、８個、または９個以上の側方に向けられた電極がある。一実施形態では、第２の絶縁層の少なくとも１つの開口部は、窓を形成して導電線を露出して各電極を形成する、複数の側方に向けられた細長い穴を含む。
【００１８】
一実施形態では、第２の絶縁層の少なくとも１つの開口部が、導電線の部分を吸収性コアに露出する窓を形成して各電極を形成する第２の層の複数の穴を含み、窓が長手方向に間隔を置いて配置され、それによってそれぞれの検出領域を長手方向に間隔を置いて配置された電極の対を形成する。
【００１９】
１つの実施形態では、細長く長手方向に向けられた導電線があり、電極が第２の層の少なくとも１つの開口部によって吸収性コアに露出された長手方向に向けられた電線の部分によって形成され、リード線が第２の層によって覆われた長手方向に向けられた電線の部分によって形成される。一実施形態では、露出された部分は、第２の層で少なくとも１つの窓を形成する少なくとも１つの穴によって提供される。別の実施形態では、第２の層のそれぞれの穴によって形成された複数の窓が提供され、各窓はそれぞれ電極を画成する。このようにして、長手方向に分離した検出領域を、電線の部分を第２の層に適切に露出することによって提供することができ、それは製造がより困難であり得る横断方向に向けられた電極を必要としない。一実施形態では、電線は露出された部分の両側に長手方向に延在する。露出された部分は電線の端部と正確に位置合わせされる必要がないので、これによって製作公差が許容される。１つの実施形態では、電線は第１の層の長手方向の端部から反対側の端部に、または長手方向の一方の縁部から他方の縁部に延在する。この構成は、電線および第１の層が、電極の位置を定める第２の層によって提供された露出された部分によって長手方向に区別なく結び付けられ得るので、製造するのに便利である。すなわち、第１の層と導電線との間の長手方向の位置合わせが必要でない。
【００２０】
一実施形態では、第１と第２の絶縁層は結び付いて吸収性物品の液体不透過性のバックシートを形成する。すなわち、第１および第２の絶縁層（それらの間に挿入された導電線を含む）によって形成された積層が液体不透過性である。この実施形態では、第１および第２の絶縁層は、吸収性コアのバックシートとして使用され得る積層を形成し、液体検出領域がそのような積層に一体化される。
【００２１】
本発明の第２の態様では、バックシートの本体側の吸収性コアおよびバックシートの裏側の少なくとも１つの液体排出物センサを有する電気的絶縁性のバックシートと、少なくとも１つの液体排出物センサを吸収性コアに連絡し、それによって吸収性コアが乾燥状態から湿潤状態に変わった場合に液体排出物センサが変更された電気特性を示すようにするバックシートの少なくとも１つの穴とを備える吸収性物品が提供される。
【００２２】
本発明の第２の態様は、液体排出物センサとコアを電気的に連絡するバックシートの穴を使用し、それは液体排出物センサをバックシートの裏側に適用することができ、それによって大幅な製造上の利点を得ることができることを意味する。たとえば、吸収性物品は、標準的な方法で製造され、それに続いて吸収性物品が液体排出物検出を可能にするために、バックシートの少なくとも１つの穴および裏側から適用される液体排出物センサによって改良される。また、少なくとも１つの穴は、吸収性コアと連絡される少なくとも１つの液体排出物センサの検出区域を選択するように設計され得る。使用に際しては、少なくともコアが湿潤している場合に、コアおよび液体排出物センサは互いに接触し、液体排出物センサが穴において吸収性コアの湿潤状態を感知できるようにする。一実施形態では、穴は窓を提供する。
【００２３】
一実施形態では、液体排出物センサは、少なくとも１つの穴を通って吸収性コアと連絡する第１および第２の間隔を置いて配置された導電性経路を有するようになされ、それによって第１の導電性経路と第２の導電性経路との間に配置された吸収性コアが乾燥状態から湿潤状態に変わった場合、湿潤した吸収性コアを通過する導電性ブリッジが第１の導電性経路と第２の導電性経路との間に形成される。
【００２４】
一実施形態では、液体排出物センサは、バックシートの穴を通って吸収性コアと連絡する第１および第２の導電性経路を有するようになされ、それによって第１の導電性経路と第２の導電性経路との間に配置された吸収性コアが乾燥状態から湿潤状態に変わった場合、湿潤した吸収性コアを穴の中で通過する導電性ブリッジが第１の導電性経路と第２の導電性経路との間に形成される。
【００２５】
別の実施形態では、液体排出物センサは、バックシートのそれぞれの穴を通って吸収性コアと連絡する第１および第２の導電性経路を有するようになされ、それによって第１の導電性経路と第２の導電性経路との間に配置された吸収性コアが乾燥状態から湿潤状態に変わった場合、湿潤した吸収性コアを穴の間で通過する導電性ブリッジが第１の導電性経路と第２の導電性経路との間に形成される。
【００２６】
別の実施形態では、複数の液体排出物センサおよびバックシートの複数の穴が設けられ、各液体排出物センサは、バックシートの少なくとも１つの穴を介して吸収性コアと連絡する。
【００２７】
一実施形態では、複数の穴がバックシートに設けられ、各穴が下側にある液体排出物センサの導電性部分を吸収性コアに露出する。一実施形態では、複数の穴、または各穴は長手方向に間隔を置いて配置され、長手方向軸が前後方向に延在する。
【００２８】
一実施形態では、バックシートに複数の穴および互いに電気的に分離され少なくとも１つの液体排出物センサを形成する複数の導電性経路があり、各穴がそれぞれの導電性経路を吸収性コアと連絡させ、それによって吸収性コアが湿潤している場合に電流が１つの穴の導電性経路から別の穴の別の導電性経路に流れることができるようになる。
【００２９】
一実施形態では、バックシートは、少なくとも１つの穴を除いて、その他の点では吸収性コアから少なくとも１つの液体排出物センサを形成する導電性経路を電気的に絶縁する。
【００３０】
一実施形態では、少なくとも１つの穴の総面積は、吸収性物品が平坦に配置され吸収性コアを平面視された場合に、吸収性コアの総面積の５０％未満、４０％未満、３０％未満、２０％未満、または１０％未満である。一実施形態では、少なくとも１つの液体排出物センサを構成する導電性経路または電線の吸収性コアに露出された総面積は、吸収性物品が平坦に配置され吸収性コアを平面視された場合に導電性経路の総面積の５０％未満、４０％未満、３０％未満、２０％未満、または１０％未満である。この特徴により、穴はバックシートのうちの少ない割合の部分であり、穴は導電性経路の全範囲と比べて少ない割合の部分であることが明らかになる。
【００３１】
一実施形態では、少なくとも１つの液体排出物センサを形成する導電性経路は、電線の形になっている。１つの実施形態では、互いに側方に間隔を置いて配置された複数の長手方向に延在する導電線があり、長手方向の軸は吸収性物品の前後方向にある。少なくとも１つの穴は各導電線の一部分を吸収性コアに露出する。好ましくは、各長手方向の導電線に対するそれぞれの穴がある。別の実施形態では、それぞれの側方の導電線に接続された複数の間隔を置いて配置された長手方向の導電線があり、側方の導電線は、互いに長手方向に間隔を置いて配置され、少なくとも１つの穴が各側方の導電線の一部分を吸収性コアに露出する。好ましくは、各側方の電線に関するそれぞれの穴がある。一実施形態では、各穴は側方の電線の一部分を吸収性コアに露出する。電線が長手方向にのみ通る実施形態は、導電線を機械の送り方向に対して角度を付ける必要がないので、吸収性コアの製造が容易なバージョンをもたらす。側方に延在する電線がある実施形態では、吸収性コアを通る液体排出物の長手方向の進行を確実に追跡することができる利点もある。
【００３２】
一実施形態では、少なくとも１つの液体排出物センサが少なくとも１つの穴によって吸収性コアと部分的に連絡された導電性材料によって提供されている。少なくとも１つの液体排出物センサを形成する複数の導電性経路または電線があってもよく、その経路または電線の各々は、少なくとも１つの穴によって部分的に露出されている。一実施形態では、各複数の導電線の一部分は、バックシートのそれぞれの穴によって吸収性コアと連絡している。本実施形態は、吸収性コアとの電気的な連絡が、導電性材料を部分的にのみ露出し、それによって個別の明確な検出領域を提供することによる直接的な方法で実現できるようにする。
【００３３】
一実施形態では、少なくとも１つの液体排出物センサが、キャリアシートまたは基材に配置されている。一実施形態では、キャリアシートはバックシートの裏面に取り付けられる。吸収性コアが、バックシートの前面に配置される。一実施形態では、キャリアシートとバックシートの組み合わせは、液体不透過性の裏層を提供して、液体排出物がそれを通過するのを防止する。言い換えれば、キャリアシートはバックシートの穴を覆う。
【００３４】
一実施形態では、バックシートは、液体不透過性材料から作製されている。バックシートは、成人失禁おむつまたは衛生タオルなどのおむつのバックシートであることができる。一実施形態では、バックシートは着用者の脚に適合するための脚部輪郭を含む。一実施形態では、バックシートは、着用者の脚の間および前後のウエスト部分に延在する股部分を含み、着用者の臀部および前ウエスト領域の周りを包む。一実施形態では、バックシートはその上に配置された留め機構を有し、それによって吸収性物品を着用者のウエストの周りに留めることができる。一実施形態では、バックシートは吸収性物品の最も外側の層の少なくとも一部分を形成する。
【００３５】
一実施形態では、バックシートは、吸収性コアのための基材を形成し、吸収性コアは、吸収性物品が平坦に配置され平面視された場合にバックシート内に配置される。一実施形態では、吸収性コアは吸収性繊維および高吸収性粒子の混合物を含む。
【００３６】
一実施形態では、吸収性コアは、液体透過性の本体側ライナも含み、吸収性コアはバックシートと本体側ライナとの間に挿入されている。
【００３７】
一実施形態では、少なくとも１つの液体排出物センサは、少なくとも１つの穴を介して吸収性コアと連絡する少なくとも１つの対の長手方向に間隔を置いて配置された導電性部材を備え、上記の対または長手方向に隣接した対の導電性部材が最小で０．０１Ｌ、０．０２Ｌ、０．０５Ｌ、または０．１Ｌ、および／または最大で０．５Ｌ、または０．４Ｌ、または０．３Ｌ、または０．２Ｌで長手方向に間隔を置いて配置され、Ｌは吸収性物品が平坦に配置され平面視された場合の吸収性コアの総計の長手方向の長さである。この間隔要件は、それぞれの導電性部材を露出する穴に等しく適用され得る。そのような長手方向の間隔は、密度が十分であるが過度ではない検出領域を提供することが分かっている。
【００３８】
一実施形態では、複数の液体排出物センサは、少なくとも０．５Ｌ、０．６Ｌ、０．７Ｌ、０．８Ｌ、または０．９Ｌにわたって長手方向に配分され、ただしＬは吸収性物品が平坦に配置され、吸収性コアが平面視された場合の吸収性コアの総計の長手方向の広がりである。
【００３９】
本発明の様々な態様の実施形態では、液体排出物センサは、吸収性コアの乾燥状態から湿潤状態への変化を検出することができるものとして説明される。これは、コアの湿潤状態の結果としての導電特性の変化によって実現され、電気特性の変化は液体排出物センサによって検出される。異なる程度の湿潤が検出され得る場合にも当てはまる。したがって、電気特性は、吸収性コアの湿潤の程度に応じた異なる度合いに（飽和点まで）変化する。本明細書に開示された液体排出物センサの様々な形態が、電気特性の比較的急激な変化からの乾燥から湿潤への移行のみでなく、吸収性コアがより湿潤した結果としての電気特性の変化も検出することが可能である。
【００４０】
本発明の第３の態様では、基材上に導電性パターンを形成するステップと、吸収性物品用の電気絶縁性のバックシート材料に少なくとも１つの穴を形成するステップと、吸収性コアを用意するステップと、基材がバックシートの裏側に配置され、吸収性コアがバックシートの本体側に配置され、吸収性コアが少なくとも１つの穴に配置され、また、導電性パターンの一部分が少なくとも１つの穴を介して吸収性コアに露出され、それによって吸収性コアが乾燥状態から湿潤状態に変化した場合に、電流が導電性パターンの一部分の下位部分の間で変更されるように吸収性物品を作成するステップとを含む、吸収性物品を作成する方法が提供される。
【００４１】
本発明の第３の態様は、工場プロセスに容易にアップスケールされる吸収性物品を作成する方法を提供する。方法は、穴作製ステップおよび基材上に導電性パターンを形成するステップを必要とし、その両方は、高速のアウトプットおよび許容可能なほどの低コストで吸収性物品を作製するために製造業者によって行うことができる。穴および導電性パターンの位置合わせは、当業者がたとえばマーカ技術を使用して実施することができるステップでもある。その結果生じる吸収性物品は、コアが湿潤し導電性パターンが電位を受ける場合に吸収性コアを介してより大きな電流を伝える。電気絶縁性のバックシートおよび穴は、吸収性コアを通る電流領域が所望の通りに調整可能であることを意味する。
【００４２】
一実施形態では、湿潤した吸収性コアが、下位部分の間に導電性ブリッジを形成し、それによって乾燥した吸収性コアと比べて電気特性に測定可能な効果がもたらされる。１つの実施形態では、下位部分は、互いに電気的に分離した導電性パターンの一部分であり、湿潤した吸収性コアは電気的に分離された部分の間に導電性ブリッジを提供する。別の実施形態では、下位部分は、電気的に接続された導電性パターンの一部分であるが、湿潤した吸収性コアは抵抗の低い導電性経路を提供する導電性ブリッジを形成する。
【００４３】
一実施形態では、少なくとも１つの穴は複数の穴であり、各穴は導電性パターンの一部分を吸収性コアに露出する。一実施形態では、少なくともいくつかの複数の穴は、吸収性コアに沿って長手方向に間隔を置いて配置され、各複数の穴は導電性パターンの一部分を吸収性コアに露出する。したがって長手方向に間隔を置いて配置された穴は、吸収性コアが湿潤している間長手方向に方向づけられた導電性ブリッジがそれらの間に形成するように配置され得る、導電性経路の下位部分を露出する。少なくとも２個、３個、４個、５個、６個、７個、８個、または９個のバックシートのそのような穴は、それぞれ導電性パターンの一部分を露出する。
【００４４】
一実施形態では、導電性経路は複数の導電線を備える。１つの実施形態では、導電線は、吸収性コアを通過する中央の長手方向軸に対して長手方向および／または側方に向けられ、したがって吸収性物品が平面視され平坦に配置された場合に細長い。導電性パターンの露出された部分は、長手方向の電線または側方の電線の一部分であることができる。導電性パターンのこの直線的な構造は、より複雑な設計よりも製造が容易なアーキテクチャを提供し、穴は吸収性コアを通る導電性ブリッジが液体排出物検出回路の設計に対して最適な様式で配置できるようにする。
【００４５】
吸収性コアに露出された導電性パターンの一部分は、少ない割合の部分であり、おそらく（吸収性物品が平面視され平坦に配置された場合に）吸収性コアによって覆われるが、バックシートによって吸収性コアから分離した導電性パターンの部分の２０％未満または１０％未満である。この特徴は、導電性パターンの全範囲に関して液体排出物検出領域を適切に選択するために導電性の穴の能力に脈絡を与える。また、導電性パターンはバックシートによって吸収性コアから分離されたリード線を形成することが必要になる可能性があり、それは、導電性パターンのごく少ない割合の部分が吸収性コアと連絡することが必要になることを意味する。一実施形態では、導電性パターンの一部分は電気絶縁性の層によって湿潤した吸収性コアと導電性ブリッジを形成することを防止され、それによって導電性ブリッジが導電性パターンの露出した部分の下位部分の間のみに延在する。一実施形態では、防止された部分は、吸収性物品が平面視され平坦に配置された場合に吸収性コアの下に配置される導電性パターンの主要な部分である。
【００４６】
基材は、バックシートに取り付けられてもよい。取付けは接着層、超音波溶接、またはその他の知られた手段によるものであってもよい。
【００４７】
一実施形態では、バックシートと基材の組み合わせは、吸収性物品の液体不透過性の外側のライナを提供する。
【００４８】
本発明の第４の態様では、第１の電気絶縁性の層、および第１の電気絶縁性の層と第２の電気絶縁性の層との間に挿入された複数の導電線とともに積層された第２の電気絶縁性の層を備える積層が提供され、各導電線は、互いに電気的に分離し、第２の電気絶縁性の層が少なくとも１つの穴を含み、各導電線の部分を露出し、積層は吸収性コアが第２の絶縁層に配置可能であり、露出された部分が吸収性コアと接触されるようになっている。
【００４９】
この積層は、吸収性物品を作成するためのプロセスに送り込むことができ、液体検出能力を有する吸収性物品を生成する。そのような積層の使用は、液体を検出する吸収性物品を製造するプロセスをより効率的にすることができる。
【００５０】
１つの実施形態では、複数の穴が第２の絶縁層に設けられ、各穴は各導電線の部分を露出する。露出された部分は、穴の形状および位置によって便利かつ明確に画成された吸収性コアと接触する電極を提供する。
【００５１】
一実施形態では、積層は細長く、各導電線の露出された部分は長手方向に離隔している。これによって、液体排出物の位置または広がりが長手方向に識別できるようになる。
【００５２】
一実施形態では、少なくとも２個、３個、４個、５個、６個、７個、８個、または９個以上の導電線がある。したがって、対応する数の穴があってよい。各穴は、その他の穴から長手方向に間隔を置いて配置され得る。電線および穴が多いほど、検出領域がより多い可能性があり、それによって検出分解能が向上する。さらに、そのような多数の露出された電極を使用しても、リード線は第２の絶縁層によってもたらされた導電線の覆われた部分によって吸収性コアから便利に分離される。
【００５３】
一実施形態では、積層は液体不透過性である。これによって積層が、吸収性物品を構成する際にバックシートとして使用できるようになる。
【００５４】
一実施形態では、導電線は長手方向に向けられている。
【００５５】
一実施形態では、導電線は、露出された部分のいずれかの側に導電線の延長方向に対して延長し続ける。別の実施形態では、導電線は積層の長手方向にいずれかの側で露出された部分を越えて延在する。この特徴により、穴の配置にある程度の誤差が許容される。
【００５６】
一実施形態では、バックシートとして上述された積層を備え、バックシートの本体側に配置され少なくとも１つの穴を覆うように配置された吸収性コアを含む吸収性物品が提供される。
【００５７】
本発明の第５の態様では、上記に述べた積層を用意するステップと、吸収性物品のバックシートとして積層によって吸収性物品を形成するステップと、吸収性コアを第２の絶縁層に配置し、それによって露出された部分が吸収性コアと電気的に接触させるステップと、バックシートと吸収性コアとを含む吸収性物品を形成するステップとを含む、吸収性物品を製造する方法が提供される。
【００５８】
本発明の第６の態様では、電気絶縁性の層の上側に延在し、吸収性物品の吸収性コアと電気的に接触する複数の導電線を備え、複数の導電線は電気絶縁性の層を通って延在して、第１の方向に電気絶縁性の層の下側に延在し、導電線は絶縁層の上側および下側に横断方向に延在し、それぞれのリード線は、電気絶縁性の層の下側の各導電線と、制御ユニット取付け区域との間に長手方向に延在する、吸収性物品が提供される。
【００５９】
本発明の第６の態様は、吸収性コアに面する絶縁層の側面に導電線を配置することによって、吸収性コアに液体排出物のための検出機構を提供する。これらの電線のそれぞれは、吸収性コアとは逆に向く絶縁層の側面に設けられることによって吸収性コアから絶縁されたリード線に接続される。このようにして、電流が制御ユニット取付け区域に取り付けられた制御ユニットから１対のリード線に印加され、導電線の間の位置でコアが湿潤している場合に、電流が湿潤したコアを通る対応する導電線の間に通過する。コアが乾燥している場合、対応する導電線は、互いに電気的に分離したままになる。導電線の横断方向の配置は、電流が長手方向に流れることを必要とし、それによって特に導電線の複数の隣接する対がある場合に液体排出物の長手方向の広がりを判定できるようにする。リード線は、同様に長手方向に延在するので、測定を妨げる可能性があり得る。しかし、リード線は、コアとは逆に向く絶縁層の側面に延在することによって湿潤した吸収性コアから絶縁されるので迷走電流の経路をもたらさない。絶縁層の後ろ側の導電線の横断方向の延長は、長手方向のリード線がその導電線を横切る、または交差することができるより長い距離をもたらし、それによって製造が容易になる。
【００６０】
一実施形態では、導電線およびリード線は個別に形成され接続される。
【００６１】
一実施形態では、少なくとも２個、３個、４個、５個、６個、７個、８個、または９個以上の導電線がある。一実施形態では、各導電線は互いに長手方向に間隔を置いて配置される。
【００６２】
一実施形態では、リード線は、基材に配置され、基材は前記絶縁層の下側に取り付けられ、リード線と導電線を接続する。横断電線が１つのステップで絶縁層に配置可能であり、長手方向のリード線が別のステップで基材に取付け可能であり、リード線と電線が第３のモジュールステップで一緒にされるので製造が簡素化される。
【００６３】
一実施形態では、絶縁層の下側での導電線の横断方向の延長は、制御ユニット取付け区域からの長手方向距離が増加すると漸進的に増加する。これによって、制御ユニット取付け区域からさらに遠ざかって配置される横断方向の電線に達する、より長いリード線に対して、中間の横断電線を交差せずにクリアランスがもたらされる。
【００６４】
一実施形態では、基材が絶縁層に取り付けられる前に、絶縁層の下側は、吸収性物品の裏側の外面を形成する。
【００６５】
一実施形態では、横断方向の導電線は、絶縁層に縫い込まれて絶縁層に延在して絶縁層の両側に横断方向に延在する導電糸である。糸は制御ユニット取付け区域に戻るように経路を定める必要がないので、特許請求の範囲に記載された構成は、縫込みの複雑さを低減する。糸は導電性（たとえば金属）材料または導電性（たとえば金属）ワイヤによってメッキ加工されたポリマー製の糸であることができる。
【００６６】
一実施形態では、リード線は、絶縁層の下側に取り付けられた基材にコーティングまたは印刷される。したがって、リード線は、リード線を担持する事前に用意された基材を使用することによって電線に容易に接続され得る。基材は、その上に配置された導電性フォイルまたは導電性インクを有することができる。
【００６７】
一実施形態では、基材は制御ユニット取付け区域を形成する。したがって、基材は効果的な共通制御ユニット取付け点を形成するための所望の材料特性（たとえば剛性）を有するように適切に構成され得る。
【００６８】
一実施形態では、制御ユニット取付け区域は、突出するタブ様部材の形態である。
【００６９】
一実施形態では、リード線は制御ユニット取付け区域に収束する。
【００７０】
一実施形態では、リード線は長手方向のストリップとして設けられる。
【００７１】
本発明の第７の態様では、複数の導電性ユニットであって、それぞれがバックシートを電気的に絶縁する本体側に配置された導電性部分、バックシートの裏側に配置され延在する導電線、およびバックシートを通過することによって導電線と導電性部分を接続する導電性経路を備える導電性ユニットを有する電気的に絶縁するバックシートを用意するステップと、複数の導電性リード線が配置された基材を用意するステップと、バックシートの裏側に基材を配置してリード線がそれぞれバックシートの裏側の導電線に接続するようにするステップを含む、吸収性物品を製造する方法が提供され、吸収性物品がバックシートの本体側に配置された吸収性コアを有して作製され、それによって吸収性コアが乾燥状態から湿潤状態に変化した場合にバックシートの本体側の導電性部分が電気特性の変化を判定するために使用可能である。
【００７２】
本発明の第７の態様は、吸収性コアの液体排出物を検出するための導電線がバックシートを通って延在し、基材を吸収性コアに対して適切に配置する単純なステップによってリード線が接続される点で有利な製造プロセスを提供する。バックシートの裏側の導電性経路の直線形態は、裏側の導電性経路が各導電性リード線に到達するように適切に延在できるようにする。電気絶縁性のバックシートは、リード線がコアから分離できるようにする。
【００７３】
一実施形態では、導電性リード線は長さが交互に変わり、導電線は長さが交互に変わり、各リード線が導電線と交差する際に他の導電線とは交差しないようにする。
【００７４】
一実施形態では、各リード線は、電位発生装置と接触するための共通の接触区域に延出する。一実施形態では、基材は共通の接触区域を提供する。一実施形態では、基材は共通の接触区域においてバックシートから突出する。このようにして、共通の接触区域は、基材によって決定されるように電位発生装置が装着される適切な材料から作製され得る。突出形態は、電位発生装置に取付けが容易なフラップ様の共通の接触区域を提供する。
【００７５】
一実施形態では、導電性部分は吸収性コアが乾燥している場合に互いに電気的に分離され、導電線は互いに電気的に分離され、導電性リード線は互いに電気的に分離される。このような方法で、対応するリード線および電線を介して各導電性部分に電位が印加され、導電性部分の組み合わせによって液体排出物検出領域をもたらす。導電性ブリッジは、吸収性コアが湿潤している場合に作動された導電性部分の間に形成され、吸収性コアが乾燥している場合には存在しない。
【００７６】
一実施形態では、導電性部分は、バックシートの本体側に延在する導電線の形態である。一実施形態では、バックシートの本体側の導電線は、等しい長さのものである。一実施形態では、バックシートの本体側の導電線は側方に向けられ、互いに長手方向に間隔を置いて配置される。この検出アーキテクチャは、体積および頻度の液体排出物データならびに長手方向の広がりを判定するのに有利であることが分かった。
【００７７】
一実施形態では、バックシートの裏側の導電線は、側方に向けられている。一実施形態では、導電性リード線は長手方向に向けられている。これは、共通の接触区域が、吸収性物品のウエストバンド区域のような検出領域に対して長手方向に分離した位置に提供できるようにするので、有用なアーキテクチャを提供する。
【００７８】
一実施形態では、導電線、接続する導電性経路、導電性ユニットの導電性部分は連続している。１つの実施形態では、それらは導電糸によって形成される。方法は、吸収性物品のバックシートを通して導電糸を縫い付けるステップを含む。縫い付けステップは、吸収性物品の裏側から行われ、それによって糸が裏側からバックシートの本体側に通過することができる。縫い付け方法は、液体排出物手段が、現行の吸収性物品に後付けできるようにする。リード線は、縫い付けによってではなく、基材を適切に配置することによって便利に適用される。
【００７９】
一実施形態では、導電性リード線は、フォイル、コーティング、リード線の印刷（たとえば導電性インクを使用して）などの基材上の層によって提供される。方法は、導電性リード線を基材に適用するステップを含むことができる。リード線を形成するための限定的でない方法は、導電性リード線を材料効率の高い様式で適用できるようにする。
【００８０】
本発明の様々な態様の実施形態では、穴（または複数の穴のそれぞれ）が少なくとも面積で４ｍｍ２、９ｍｍ２、１６ｍｍ２、２ｃｍ２、３ｃｍ２である。
【図面の簡単な説明】
【００８１】
【図１】吸収性物品および特に吸収性物品を作製する製造ステップ１ａから１ｄのシーケンスを示す。製造ステップ１ａでは、複数の導電性リード線が基材上に設けられる。各リード線は、基材上の共通の開始位置から延出し、異なる終了位置に異なる長さで延出する。導電性リード線は、基材上にコーティングまたは印刷として設けられる。  製造ステップ１ｂでは、吸収性物品が提供される。図示された吸収性物品は液体不透過性のバックシート、液体透過性の上部シート、およびそれらの間に配置された吸収性コアを有する成人失禁おむつである。  製造ステップ１ｃでは、導電糸または導電線は、バックシートの本体側およびバックシートの裏側にバックシートを通過する様式で配置され、それによってバックシートの本体側およびバックシートの裏側の対応する電線が互いに連続する。吸収性コアの液体排出物が一対の、特に隣接する対の導電線または導電糸を接続する場合、電流がそれらの導電線または導電糸の間を通過することができる。１対の導電線または導電糸の間に電位を印加するために、導電性リード線と製造ステップ１ａによって提供された基材との組み合わせがバックシートの裏側に配置され、それによって基材上のそれぞれの導電性リード線がバックシートの裏側のそれぞれの導電線または導電糸に接続する。  製造ステップ１ｄでは、基材の裏側の上に液体不透過性プラスチックまたは不織疎水性層を接着することによって、リード線は図１ｃに示された位置に固定され、液体不透過性または疎水性層が基材の裏側とバックシートの裏側の両方に接着される。この外側層は、導電糸または導電線をバックシートに通過させることによって、バックシートに作製された穴を考慮して吸収性物品からの漏えいの防止を確実にする。
【図２】吸収性コアの液体排出物を検出することができる吸収性物品を作製するための製造ステップを示す。  製造ステップ２ａでは、導電性パターンが基材に形成され、導電性パターンは複数の導電性ストランドのリード線部分および検出部分を含む。各リード線部分は、基材の共通の接触区域に戻るように延在する。導電性経路は、印刷され、コーティングされ、またはその他の方法で基材上に薄く積層され得る。  製造ステップ２ｂでは、複数の貫通穴が吸収性物品のバックシートに作成される。図２の２ｂに部分的に示される吸収性物品は、成人失禁おむつである。  製造ステップ２ｃでは、ステップ２ａから提供された基材がバックシートの裏側に配置され、それによって導電性パターンのそれぞれの導電性部分がバックシートの貫通穴と位置合わせされ、それによって吸収性コアと連絡し、その際、電位が１対の導体の間に印加され、湿潤した吸収性コアが穴の導電性部分の間に延在する場合に、電流が１対の導電性部分の間に流れることができる。  製造ステップ２ｄでは、基材の裏側の上に疎水性の不織または液体不透過性の層を接着することによって導電性パターンが図２ｃに示された位置に固定され、それによってバックシートの裏側に重なり合う。液体不透過性または疎水性の層はバックシートの裏側に対して基材を固定するように機能するだけでなく、吸収性物品の液体不透過性の完全性がバックシートを通って形成された穴に対して維持されることを確実にする。  図２ｅは、基材キャリアシート、電気回路、バックシート内の穴、および吸収性物品の吸収性コアがどのように配置されるかを明確に示すために図２の種類の吸収性物品の分解図を示す。すなわち、液体排出物検出のための電気回路がキャリア基材に配置される。吸収性物品がバックシートに配置され、キャリアシートが穴に対して配置され、それによって電気回路の一部分が穴を介して吸収性コアに露出される。長手方向に隣接する穴が、それらの間に液体排出物検出領域をもたらす。
【図３】液体排出物検出回路が基材に担持され、吸収性物品の液体不透過性のバックシートに形成された穴を介して吸収性物品の吸収性コアと連絡された、吸収性物品の別の実施形態を示す。図２の実施形態では、基材に配置された液体排出物検出回路が、バックシートの穴と一致しない長手方向に延在するリード線、およびバックシートのそれぞれの側方に延在する穴と一致する側方に延在する検出電極の形態になっている。図３は、液体排出物検出回路が長手方向に延在する電線の形態で設けられ、各長手方向に延在する電線の部分が、図示される実施形態では、バックシートの小さな円形の穴によって吸収性コアに露出される点で異なる。
【図４】液体排出物検出回路がバックシートの裏側に取り付けられた基材に配置された吸収性物品の別の実施形態を示し、液体排出物検出回路の部分が吸収性物品のバックシートの穴を介して吸収性コアと連絡する。図４の実施形態では、液体排出物検出回路が長手方向に向けられた第１および第２の細長いループの形態で設けられ、第１おより第２のループの両端が閉じられ、第１および第２のループの両端が開いて端子の端部を提供する。したがって、開いたループの形状は、長手方向に互いに逆に配置されている。第１および第２のループの両方の部分をそれぞれ露出する複数の穴がバックシートに設けられ、長手方向に分離した個別の検出領域を提供する。
【図５】吸収性物品、特に吸収性物品のバックシートを作製する際に使用するための積層構造を示す。積層は液体不透過性である。積層は、第１と第２の層を備え、その間に配置された導電性パターンを有する。層のうちの１つは複数の穴を含み、積層の外側に導電性パターンのそれぞれの部分を露出し、それによって吸収性物品が積層の穴の上に配置された場合、導電性部分が吸収性コアと電気的に連絡する。図示された構成では、導電線が長手方向に延在し、その両端が積層構造の長手方向の最先端で終端する。
【発明を実施するための形態】
【００８２】
図１は、吸収性物品の吸収性コアの液体排出物を電気的に検出することができる吸収性物品を形成する際の一連の製造ステップ１ａから１ｄを示す。
【００８３】
図１ａは、複数の導電性リード線２が基材１に配置された製造ステップを示す。それぞれの検出電極３に電気的に接続する７個のリード線２が図示された実施形態に示される。２個、３個、４個、５個、６個、７個、８個、または９個以上のその他の個数のリード線２および電極３が使用され得る。導電性リード線２は、基材１の一方の端部で、吸収性物品５に沿って検出電極３の長手方向部分とそれぞれ一致する基材１に沿った異なる長手方向位置に共通の接触区域４から延在する。基材１は、プラスチックフィルムの形態、または紙の形態でもあり得る。基材１の目的は導電性リード線２のためのキャリアとして機能することである。導電性リード線２は、基材１に接着された金属フォイル（たとえばアルミニウム）、または基材１に印刷された導電性インクの形態であることができる。導電性リード線のこれらの形態は、連続した生産ラインタイプの製造方法で基材１に取り付けることができるので有用である。
【００８４】
図１ｂには、吸収性物品５が示されている。吸収性物品５は、バックシート８、第１の吸収性コア６、第２の吸収性コア７、および上部シート（図示せず）を含む従来の成人失禁おむつである。吸収性物品５は、吸収性物品５が平坦に配置されて平面図で示される。吸収性物品５は、前部ウエスト領域１１、股領域１０、および吸収性物品５の長手方向に配分される後部ウエスト領域９を含む。第１のまたは下方の吸収性コア６は、第２のまたは上方の吸収性コア７よりも広い区域のものであり、それによって上方の吸収性コア７は下方の吸収性コア６の上のアイランドを形成する。下方の吸収性コア６および上方の吸収性コア７は、バックシート８上に配置され、バックシート８と上部シートとの間に挿入され、吸収性物品５を形成する。当業者なら理解するように、上部シートは液体排出物がそれを通って吸収性コア６、７に到達できるようにするために液体透過性であり、バックシート８は吸収性物品５からの漏えいを防止するために液体不透過性である。吸収性物品５は、吸収性物品５を着用者の脚または臀部に緊密に適合するために伸縮性を持たされた、側方で対向する脚部輪郭を含む。同様に、着用者のウエストの周りで吸収性物品５と緊密に形状を合わせるために伸縮自在にされた前部および後部のウエストバンド部分が設けられる。
【００８５】
図１ｃは、導電性リード線２が配置された基材１と関連付けられ、検出電極３とも関連付けられた吸収性物品５を示す。最初に検出電極３に注目すると、検出電極３は、それぞれバックシート８を通ってバックシート８の本体側に沿って側方に延在するように、またバックシート８の裏側に側方に延在するようにループになる導電糸の形態で設けられる。ループは、導電糸がバックシート８を通って戻るようには延在しないので開いている。液体排出物電極３は互いに対して長手方向に間隔を置いて配置されている。図示された実施形態では、液体排出物電極３は均等に間隔を置いて配置され、上方の吸収性コア７の全範囲に沿って長手方向に配分されている。液体排出物電極３は、実質的に等しい側方の範囲のものであり、互いに同様に側方に位置決めされている。液体排出物電極３は、バックシート８の裏側で異なる側方の範囲に延在する。より詳細には、液体排出物電極３が長手方向で後部ウエスト領域９に対してより接近して位置決めされると、液体排出物電極３はバックシート８の裏側でより短い側方の範囲を有する。液体排出物電極３を形成する糸は、バックシート８の裏側の糸の一部分が、バックシート８の本体側に配置された導電糸の一部分に対して側方に重なり合う方向に延在するようにループになる。
【００８６】
バックシート８の裏側に露出および延在する導電糸の一部分は、導電糸２を本体側に向けて基材１をバックシート８の裏側の上に配置することによって導電性リード線に物理的および電気的に接続される。基材１は、共通の接触区域４が吸収性物品５の後部ウエスト縁部１２に対して突出するように配置される。この共通の接触区域４は、液体排出物電極３の様々な対の間に電位を生成するために電位発生装置と接続され得る。最長のリード線は、後部ウエスト縁部１２から最も遠く位置決めされた液体排出物電極に延在し、その他の各液体排出物電極３を通り過ぎて長手方向に延在する。各先行する電極はバックシート８の裏側の側方の範囲がより少ないので、最長のリード線２は、長手方向に通過するその他の液体排出物電極３とは物理的および電気的に接続しない。したがって、各液体排出物電極３の側方の範囲は、後部ウエスト縁部１２からさらに離れて位置決めされた液体排出物電極３から後部ウエスト縁部１２に最も接近して位置決めされた液体排出物電極３に段階的に短くされる。バックシート８の裏側の液体排出物電極３の側方の範囲が異なることによって提供される空間のため、各導電性リード線２は、それぞれの液体排出物電極３に延在するが、その他のいずれの液体排出物電極３とも物理的および電気的に接続しない。
【００８７】
図１ｃでは、基材１はバックシート８に適切に配置されるが、導電性リード線２と排出電極３との間の接着剤が導電性を妨げ得るのでバックシート８にまだ固定されない。基材１が図１ｃに示される位置に吸収性物品５に固定される様式は、さらなる層１３によるものであり、さらなる層１３は、本体側に配置された接着剤を有し、バックシート８、基材１、およびさらなる層１３を吸収性物品５に固定するために、基材１の裏側およびバックシート８の裏側に接触するようになる。さらなる層１３は、たとえば液体不透過性フィルム、または疎水性不織であり得る。
【００８８】
図１ｄの吸収性物品５は、以下の様式で使用される。電位発生装置（図示されない）が共通の接触区域４に取り付けられ、それによって電位発生装置のそれぞれの接点がリード線２のそれぞれと接続する。電位は、液体排出物検出を行うためにリード線２の様々な対の間で生成される。導電性リード線２のすべての組み合わせを作動することができ、または電位発生装置がそれ自体を液体排出物電極３の隣接する対に相当する導電性リード線２の隣接する対の間に電位を印加することに限定することができることが想定される。使用の際には、隣接するリード線２の間に電位が印加されると想定すると、電位はバックシート８の裏側の関連付けられた液体排出物電極３に伝達され、電位はバックシート８を通ってバックシート８の本体側に伝達され、それによって下方の吸収性コア６と接触する液体排出物電極３の間に電位を印加する。吸収性コア６が、液体排出物電極３の作動された対の間の領域で乾燥している場合、液体排出物電極３の対の間に実質的に電力が追従せず、おそらく抵抗測定を行うことによって電位発生装置がこれを検出することができる。下方の吸収性コア６が作動された液体排出物電極３の間に延在する液体排出物を含む場合、液体排出物に存在するイオンのために電流が流れることができる。電流の流れは、おそらく抵抗測定を行うことによって電位発生装置によって検出され得る。
【００８９】
液体排出物電極３の各長手方向に隣接する対は、液体排出物検出領域を形成することが考察され得る。電位発生装置は、どの領域が液体排出物を含むかを検出することができ、それによって液体排出物の長手方向の広がりを決定することが可能になる。長手方向の広がりは、液体排出物の体積についての予想を行うこともできるので特に有用な情報である。さらに、続いて生じる液体排出物インサルトが液体排出物の長手方向の広がりを変化させ、それはより多くの液体排出物検出領域が電位発生装置による液体排出物を含み、それによって液体排出物インサルトの数を判定できるようにすることを意味する。この情報のすべては、分析および研究の目的、ならびに吸収性物品５をいつ取り替える必要があるかを介護者が決定するために有用である。さらに、情報は、介護の質（たとえば吸収性物品が取り替えられる前に吸収性物品５をどのぐらい満たすことができるか）を評価できるようにする。
【００９０】
図１の検出電極アーキテクチャに対する代替として、糸はバックシート８の本体側および裏側それぞれに互いに少なくとも部分的に重なり合い、本体側からバックシート８の裏側に通過する導電性ビアによって接続されるように配置された分離した導電性経路によって取って代わることができる。これにより、吸収性物品５が、製造の際に時間を費やし、手作業による以外に実施が困難である可能性のある、導電糸がバックシート８に縫い込まれることを必要とせずに生産できるようになる。そのような導電性経路は、印刷、または導電性インクまたは導電性フォイルの積層によって形成され得る。したがって、液体排出物検出電極３がバックシート８の各側の印刷された回路によって形成され、バックシートを通過する導電性ビアによって接続され得る。
【００９１】
本発明の別の実施形態が図２に示される。この実施形態では、図１の実施形態とは対照的にリード線および検出電極がバックシートの裏側にあり、リード線はバックシートの裏側にあり、検出電極はバックシートの本体側にある。図２から図５の様々な実施形態の説明は、すでに上記に詳細に述べた特徴のさらなる考察を含まない。共通する特徴に関しては、上記の説明が参照される。
【００９２】
図２ａは、導電性パターン２１が配置された基材２０を示す。導電性パターン２１は、複数の電気的および物理的に分離した導電線２２を含む。導電線２２は、それぞれ長手方向に延在する部分２３および側方に延在する部分２４を含む。長手方向に延在する部分２３は、側方に延在する部分２４から共通の接触区域４に、または共通の接触区域４に隣接して延在し、そこで電位発生装置が各導電線２２と接触するために取り付けられるリード線を提供する。側方に延在する部分２４は、吸収性物品５の吸収性コア６、７と連絡するための検出電極を提供する。側方に延在する部分２４は、互いに長手方向に間隔を置いて配置され側方に大幅な程度で互いに重なり合う。基材２０は、不織材料またはプラスチックフィルムであることができる。基材２０は紙ベースの材料であることができ、またはプラスチックシートであることができる。導電線２２は、基材２０に導電性材料を印刷またはコーティングすることによって形成され得る。導電性パターン２１は、導電性インクまたは導電性フォイルによって形成され得る。基材２０は、長手方向の一方の端部で側方の範囲が低減したタブ２６を含むように形状を定められ、それは共通の接触区域４として機能する。
【００９３】
図２ｂでは、複数の穴２５がバックシート８を介して形成される。これらの穴はバックシート８に予備成形され、次いでバックシート８は吸収性物品５に組み込まれ、または吸収性物品５は予め製造され、穴は次いでバックシート８にパンチ加工されまたはその他の方法でバックシート８から切り取られる。穴２５は、基材２０上の導電性パターン２１によって要求される長手方向および側方の位置に適合する相対的な長手方向および側方の位置に形成される。したがって、穴２５は、長手方向に均等に配分され、側方の方向に位置合わせされる。穴２５は、それぞれスロット形状にされ、または細長くされ、側方に向けられ、導電線２２の側方部分２４と同じ大きさの側方の範囲を有する。複数の穴２５は、吸収性物品５が平面視され平坦に配置された場合に、吸収性コア６、７内で長手方向および側方に配置される。
【００９４】
図２ｃでは、製造ステップが示され、基材２０はバックシート８の裏側に関連付けられ、それによって導電線２２の各側方部分２４の少なくとも一部分が複数の穴２５のそれぞれの１つを介して吸収性コア６、７と連絡される。すなわち、複数の穴はそれぞれ導電線２２のうちの１つの側方部分２４を吸収性コア６、７に露出する。基材２０は、タブ部分２６が吸収性物品５の後部ウエスト縁部１２から突出し、電位発生装置に取り付けるための突出フラップを形成するように配置される。電位発生装置は、開位置と閉位置との間で移動可能な対向するジョーによるものなどでタブ部分２６に締め付けすることができる。対向するジョーは、各導電線２２に対するそれぞれの接点を含むことができる。図２ｃに示される基材２０の位置では、導電線２２の長手方向に延在する部分２３は、穴２５によって露出されず、バックシート８によって吸収性コア６、７から分離されているので吸収性コア６、７と物理的または電気的に連絡しない。したがって、バックシートは、長手方向に延在する部分２３またはリード線と吸収性コア６、７との間の直接的な電気的な連絡を防止する。
【００９５】
図２ｄでは、基材２０は、基材２０を越えて長手方向および側方に延在し、基材２０の裏側およびバックシート８の裏側に接着されたさらなる層２７によって定位置に固定される。さらなる層２７は、不織またはフィルム材料の疎水性または液体不透過性シートであり得る。さらなる層２７の１つの目的は、液体不透過性のバックシート８に形成された複数の穴２５に対して液体不透過性を吸収性物品５の裏側に提供することである。したがって、さらなる層２７は、いくぶん液体不透過性材料から作製される必要のある基材２０の設計上の制約をともなって、基材２０の材料が導電性パターンキャリア機能を最適化するように選択される。
【００９６】
製造の際には、導電線２２の側方部分２４を対応する穴２５と位置合わせするために、従来のマーカが使用され得ることが想定される。基材２０上の導電性パターン２１が機械製造され得、次いで吸収性物品５を従来の様式で製造できるようにしながら、同じく機械実装され得る様式で吸収性コア６、７と関連付けられる。吸収性物品製造プロセスは、吸収性物品を、液体排出物を検出する吸収性物品に変換するために、バックシートに穴を形成するステップ、および基材２０とバックシートを関連付けるステップによって改良されることのみが必要とされる。したがって、液体排出物を検出する吸収性物品は、機械によって、低コスト生産を可能にする割合で製造され得る。
【００９７】
使用に際しては、電位発生装置が基材２０のタブ部分２６に取り付けられ、それによってそれぞれの接点がそれぞれの導電線２２に係合される。電位発生装置は、電位を導電線２２の様々な組み合わせの対、特に長手方向に隣接する導電性部分２４と関連付けられた対の間に印加することができる。導電線２２の作動された対は、関連付けられた導電性部分２４の対の間に電位を形成する。側方に延在する導電性部分２４の一部分は、バックシート８のそれぞれの穴２５を通って吸収性コア６、７と電気的に接続される。吸収性コアが穴２５の対の間で乾燥している場合、穴２５の対を介して吸収性コアに露出された導電性部分２４の対の間に実質的に全く電流が流れない。ウェブ吸収性コアが穴２５によって露出された側方に延在する導電性部分２４の作動された対の間で長手方向に延在するように、吸収性コア６、７が湿潤している場合、側方の導電性部分２４のうちの１つからその他の導電性部分２４に、湿潤した吸収性コアを介して湿潤した吸収性コア６、７によって形成された長手方向に延在する導電性ブリッジで電流が流れることができる。この電流の流れは、電位発生装置によって検出され、検出領域での液体排出物の確かな検出をもたらすことができる。図２の実施形態は、複数の長手方向に間隔を置いて配置された検出領域がバックシート内の長手方向に隣接する穴２５の間に画成できるようにする。
【００９８】
図２に示される実施形態では、４個の穴および関連付けられた側方に延在する導電性部分２４があり、それによって３個の長手方向に間隔を置いて配置された検出領域が形成される。３個、５個、６個、７個、８個、または９個以上などの、その他の個数の穴および側方に延在する導電性部分２４が実装され得る。３個の穴の実施形態が図２ｅに示される。たとえば、図１に示される検出電極３の配置を、図２に示される実施形態に引き継ぐことができ、それによって８個の長手方向に間隔を置いて配置され側方に延在する導電性部分２４および関連付けられた穴２５、長手方向に延在する部分２３、および接点がもたらされ、側方に延在する導電性部分２４は、長手方向に等しく間隔を置いて配置され、図１に示されるのと同じ様式で配置される。
【００９９】
図２ｅは、バックシートが側方に向けられたスロットを含み、これらのスロットが導電性パターン２１の側方に延在する部分２４を吸収性コア６、７に露出し、導電性パターンが基材２０に配置される点で、図２ａから図２ｄに関して上述したものと同じ種類の吸収性物品５の分解図を示す。図２ｅのバージョンでは、３個の長手方向に配分された穴２５および導電性パターン２１の露出された部分２４があり、それによって２個の長手方向に間隔を置いて配置された液体排出物検出領域が、露出された部分２４の長手方向に隣接する対の間に形成される。
【０１００】
図３は、バックシート３２の下にあるそれぞれの導電性部材３１の部分を上に重なる吸収性コア３３と連絡するために、バックシート３２に複数の穴３４が設けられた、本発明の別の実施形態を示す。
【０１０１】
バックシート３２は、従来の液体不透過性の種類のものである。バックシート３２は、プラスチックフィルムによって、または疎水性の不織材料によって形成され得る。バックシート３２は、バックシート３２を通って形成された複数の穴３４を有する。穴３４は、吸収性物品の長手方向軸に対して互いに長手方向に間隔を置いて配置される。さらに、穴３４は、互いに対して側方に間隔を置いて配置される。このようにして、各穴３４を接続する電線は、長手方向軸に対して対角に延在する。
【０１０２】
吸収性コア３３が、バックシート３２の本体側面に配置される。吸収性コア３３も従来の種類のものであり、それは通常、エアレイド吸収性繊維と高吸収ポリマー粒子または繊維との混合物から形成される。吸収性コア３３が、穴３４のすべてを覆うように位置決めされる。
【０１０３】
バックシート３２の裏側には、複数の導電性部材３１が設けられる。各導電性部材３１は、導電性材料のストリップの形態で設けられる。導電性部材３１は、細長く、長手方向に向けられる。導電性部材３１は、バックシート３２の一方の長手方向縁部から、バックシート３２の対向する長手方向縁部に延在する。各導電性部材３１は、穴３４のうちの１つを覆い、それによって、関連付けられた穴３４が位置決めされた場所で吸収性コアが湿潤した場合に、導電体３１のうちの１つから関連付けられた穴３４を通って吸収性コアに入る電流のための経路を提供するように配置される。穴３４は、それぞれ導電性部材３１のわずかな部分だけを吸収性コア３３に露出する。穴３４は、それぞれ側方で関連付けられた導電性部材３１に相当する寸法のものであり、長手方向で導電性部材３１よりもかなり小さくなっている。
【０１０４】
基材またはキャリアシート３０が、導電性部材３１の裏側の上に設けられ、それによって導電性部材３１を完全に覆い、バックシート３２の裏側に取り付けられる。基材３０が液体不透過性材料から作製され、それによって液体排出物が吸収性コア３３から穴３４のうちの任意の１つを通って吸収性物品から漏出不可能にすることを確実にする。
【０１０５】
図３は吸収性物品の一部分のみを示す。バックシート３２は、着用者のウエストの周りに延在するための前部および後部のウエスト領域を画成し、画成吸収性物品を使用者に固定するための脚部輪郭と関連付けられた脚部弾性体を含む脚部輪郭も画成するために、図示されたものよりも大きい。さらに、上部シートはバックシート３２の本体側に位置決めされ、それによって吸収性コア３３が上部シートとバックシート３２との間に挿入される。これらは吸収性物品の従来の特徴であり、本明細書では詳細には説明される必要がない。
【０１０６】
使用の際には、電位発生装置は、電位発生装置のそれぞれの接点がそれぞれの導電性部材３１に接触するように導電性部材３１と接触される。このようにして、電位発生装置は導電性部材３１の様々な対に作用して、その対の間に電位を印加することができる。吸収性コア３３が穴３４の対の間の空間で乾燥している場合には、電位発生装置は関連付けられた導電性部材３１の対の間で比較的０である電流を検出し、それに対して吸収性コア３３が空間に沿って湿潤している場合には、比較的大きな電流が湿潤した吸収性コア３３を通って延びる導電性ブリッジの形成により検出され得る。したがって、穴３４の対の間に延在する直線を検出領域とみなすことができ、図３の構成は、電位発生装置が、吸収性コア３３が複数の検出領域において湿潤しているかを判定できるようにし、その場合これらの検出領域は複数の穴３４が互いに長手方向に間隔を置いて配置されている結果として互いに長手方向に間隔を置いて配置される。
【０１０７】
図３から、吸収性物品は、必ずしも最初に作製され、次いで液体排出物検出能力を与えられるという必要はないことが理解し得る。当業者は、製造方法で基材材料を提供することができ、バックシート材料３２に穴３４を形成することができ、基材３０およびバックシート３２をそれらの間に配置され、穴３４のそれぞれの１つを覆うように適切に位置決めされた導電性部材３１と共に取り付けることが可能であることが予見され得る。この後で、吸収性コア３３をバックシート３２の本体側に設けること、および上部シートとバックシート３２との間に吸収性コア３３を挿入することを含む吸収性物品の残りの特徴を製造することができる。同様の製造方法が、基材２０、導電線パターン２２、および穴２５が形成されたバックシート８が最初に用意され、次いで吸収性コア６、７をバックシート８の本体側に配置することを含む吸収性物品の残りがそれに続いて作製され得る点で、図２の実施形態に適用可能である。
【０１０８】
本実施形態では、穴３４は実質的に円形である。バックシート３２が平面視された場合の正方形、三角形などの、穴３４に関するその他の形状が使用され得る。対応して形状および寸法を決められた穴が図２の実施形態に適用され、それによって図２の実施形態が側方に向けられたスロット形状の穴２５を備えず、その代わりに側方方向にかなり小さく寸法を決められた穴を有し、それによって導電性パターン２４の側方に延在する部分２４の少ない割合の部分のみを表出させることがさらに予見される。図２の実施形態のそのような変形形態では、穴は共通した長手方向軸、特に中央の長手方向軸に沿って整列させることができる。
【０１０９】
図２および図３の実施形態では、穴３４の間の最短の直線がバックシート材料を通って延在する。すなわち、穴３４は長手方向に間隔を置いて配置され、バックシート材料によって長手方向に連結され、それによって電流が必ずバックシートを通過して吸収性コアに入りバックシートを通って戻ることが確実になり、そうして導電性の液体排出物電極の間のどのような直接的な漏えい電流も回避する。
【０１１０】
図３の実施形態の別の変形形態では、導電性部材３１は図３に示されるような平坦なストリップ形状の材料でなく、ワイヤまたは電線の形状で提供され得る。同様にして、その代わりに図２の導電性パターン２１のための電線またはワイヤの形態が、平坦なストリップ形状の導電性材料によって提供され得る。本発明のすべての実施形態において、導電性経路は導電性フォイル、導電性インク、またはワイヤによって提供されてもよく、印刷、コーティング、接着などによってバックシート３２の基材３０に配置されてもよい。
【０１１１】
図３の実施形態では、３個の穴３４および３個の導電性部材３１が示されている。別の実施形態では、４個、５個、６個、７個、８個、または９個以上などのより多くの数の導電性部材３１および関連付けられた穴３４があってもよい。導電性部材３１および関連付けられた穴３４がより多く設けられるほど、吸収性コア３３の任意の液体排出物の位置および範囲を決定する際の分解能がより高くなる。このように精度がより高くなるトレードオフとして、より多くの導電性部材を設ける点で材料費が増加し、穴の数が増加したことによりバックシートの完全性が低下し、電位発生装置での回路の複雑さが増す。別の代替では、２個の導電性部材３１および関連付けられた穴３４が設けられ得る。
【０１１２】
図４は、吸収性コアのバックシートの穴が下にある導電性経路を吸収性コアと連絡するために使用される、本発明の別の実施形態をさらに示す。吸収性物品４０が、バックシート４１、およびバックシートの裏側に適用された基材４２を含む。液体排出物検出のための導電性パターンが、バックシート４１と基材４２との間に挿入されている。吸収性コア、およびバックシート４１の本体側の上部シートは、明瞭にする目的で図４には示されない。あるいは、吸収性コアおよび上部シートと組み合わされた場合に吸収性物品を形成するための前駆体を形成する、導電性パターン４３が間に配置されたバックシート４１および基材４２の積層に、参照番号４０が指定されることが考慮される。
【０１１３】
バックシート４１および基材４２は、これまでに諸実施形態に説明され、この開示は本実施形態に適用可能である。図４の実施形態は、バックシート４１および下にある導電性パターン４３の穴４４の相対的な配置において上記の実施形態、特に図２および図３の実施形態とは異なる。導電性パターン４３は、２つの別個の回路４５、４６を含む。第１および第２の回路４５、４６はそれぞれ、ループ部分４７を備え、各ループ部分４７は、閉鎖端部４８および開放端部４９を有し、それによって吸収性物品が平坦に配置され平面視された場合にループ部分４７がオープンループの形状になる。第１および第２の回路４５、４６は互いに対して逆に向けられ、それによってループ部分４７の閉鎖端部４８が吸収性物品４０の長手方向に対向した部分に配置される。閉鎖端部４８から、第１の回路４５が後ろから前方向に長手方向に延在し、第２の回路４６のループ部分４７の残りの部分が前から後ろの方向に閉鎖端部４８に対して延在する。
【０１１４】
第１および第２の回路４５、４６は、ループ部分４７に接続されたリード線部分４９および接触部分５０も含む。リード線４９は、オープンループ部分４７から吸収性物品４０の後部ウエスト部分の共通の接触区域に延在する。図示された実施形態では、接触部分５０が内部に配置された共通の接触区域が、吸収性物品が平坦に配置され平面視された場合に、バックシート４１の設置面積内にフラップとして設けられる。これは、図１および図２の実施形態でのように、バックシート４１の後部ウエスト縁部に対して突出するフラップの形態でも設けられる。第１および第２の回路４５、４６は、それぞれ、電位発生装置の作動極および戻り極のそれぞれを受けるための１対の接点を含み、それによって電流がループ部分４７の周りに流され得る。
【０１１５】
バックシート４１を通って形成された穴４４は、長手方向に離隔され、長手方向に均等に配分されている。穴４４は、第１および第２の回路４５、４６の両方のループ部分４７の部分をそれぞれ露出するように配置された側方に向けられたスロットの形態に形成される。特に、穴４４は、第１および第２の回路４５、４６の側方に隣接する部分のオープンループ部分４７の外側レッグおよび戻りレッグを表出させる。
【０１１６】
使用に際して、電位発生装置が共通の接触区域に適用され、それによって電位発生装置のそれぞれの接点が第１および第２の回路４５、４６の接点５０と接触する。第１の回路の接点の対の間に印加される電位により、電流が回路４５を回って、特にオープンループ部分４７を回って流れる。上に重なる吸収性コアが湿潤し、それによってオープンループ部分４７の外側レッグおよび戻りレッグを接続し、次いで短絡回路が形成され、それによって実質的にすべての電流が、ループ全体を回って流れず、その代わりに短絡回路によって形成された短縮したループを通って流れる。この抵抗の低下した経路は、電位発生装置によって検出可能であり、低下した抵抗の範囲は、長手方向で短絡回路が生じた場所を示す。より具体的には、電位発生装置が複数の穴４４のうちの穴１、穴２、…穴ｎで短絡回路が生じたがどうかを判定することができ、各連続的に番号を付けられた穴は長手方向に先行する穴から間隔を置いて配置されている。したがって、第１の回路４５は、後ろから前方向に液体排出物の長手方向の広がりが判定できるようにする。
【０１１７】
第２の回路４６は、同じ様式で作動するが、第１の回路４５に対して長手方向に逆に配置されているので、液体排出物の長手方向の広がりが前から後ろの方向に検出され得る。したがって第１および第２の回路４５、４６により、吸収性コア内のどのような液体排出物の対向する長手方向の広がりも電位発生装置によって確認できるようになり、それによって液体排出物全体の全域および位置の表示が与えられる。図４に示されるような接触部分５０に最も近い第１および第２の穴４４の上に重なる液体排出物を想像すると、電流が第２の回路４６の接点５０に最も近い穴で短絡回路にされ、電流は長手方向で接点５０から第２の穴で短絡回路にされ、それによって電位発生装置は液体排出物がこれらの２つの穴を覆い、したがって少なくともこの長手方向の広がりを有するが、第３の穴に対する長手方向の広がりほど有していないとを判定できるようにする。
【０１１８】
電位発生装置は、測定した抵抗値と比較するために、第１および第２の回路４５、４６に関する一連の抵抗値を参照値としてメモリに有していてもよい。記憶された抵抗参照値は、全回路が横切られた場合に期待される抵抗測定値に対応し、短絡回路が穴１、穴２、…穴ｎにおいて生じる場合、これらの各穴は特定の回路４５、４６に関する接点の対からの電流送り方向に連続的にさらに遠くにある。したがって、電位発生装置は、測定された抵抗値と参照値との間の比較を行い、穴４４のうちのどれにおいて、したがって長手方向位置のうちのどこにおいて短絡回路が生じたかを判定することができる。この情報が第１および第２の回路４５、４６の両方に対して判定された場合、吸収性コアの液体排出物の長手方向の広がりを判定できる。
【０１１９】
図４の実施形態では、穴４４がスロット形状にされ、側方に向けられ、それによって第１および第２の回路４５、４６の両方の外側のレッグおよび戻りレッグを表出させる。穴４４がそれぞれ２個または４個の穴に分割され、それらは互いに対して側方に間隔を置いて配置され、２個または４個の穴のこれらのグループのそれぞれが図４のスロット穴４４と同じ様式で長手方向に間隔を置いて配置される代替の構成が提供され得る。２個の側方に間隔を置いて配置された穴のシナリオでは、これらの穴のうちの第１のものが第１の回路４５の外側のレッグおよび戻りレッグを表出させ、これらの穴の第２のものが第２の回路４６の外側のレッグおよび戻りレッグを表出させ、その場合表出された部分は側方に間隔を置いて配置され、長手方向に整列される。４個の穴のシナリオでは、第１の穴が第１の回路の外側のレッグの一部分を表出させ、第２の穴が第１の回路の戻りレッグを表出させ、第３の穴が第２の回路の外側のレッグを表出させ、第４の穴が第２の回路４６の戻りレッグを表出させる。これらの４個の穴は側方に間隔を置いて配置されるが、長手方向には整列される。２個または４個の穴のいくつかのこれらのグループは、長手方向に間隔を置いて配置され、図４に対して上述した原理によるアーキテクチャを実現する。このように分割された穴を使用することにより、バックシート４１の完全性を図４に示されたより大きな穴と比べて増すことができるが、この利点に対するトレードオフとして、製造の複雑さ、特に各穴を第１および第２の回路４５、４６のレッグまたはそれぞれのレッグと位置合わせする際の複雑さが増す。
【０１２０】
図４に示されるものの別の代替として、穴４４が不均等に配分され得る。液体排出物を最も受け易い物品の区域に穴４４を集中させ、その他の領域に穴４４の集中をより少なくすることが有利であり得る。すなわち、穴４４の間の長手方向の距離は予測される尿を受け取る区域でより少なく、穴４４は予測される尿を受け取る区域の外側で長手方向により離れた間隔で配置され得る。吸収性コアのその他の区域と比べて、吸収性コアの予測される液体排出物区域に液体排出物検出部分を集中させるために、液体排出物検出部分をそのように不均一に配分することは、本明細書に記載された実施形態のすべてに適用可能である。
【０１２１】
図５の実施形態では、基材６２およびバックシート６０を備え、導電線６１がそれらの間に挿入された積層が示される。導電線６１は、一方の長手方向縁部から積層６３の対向する長手方向縁部に延在する。導電線６１は、互いに電気的および物理的に分離されている。導電線６１は側方方向に間隔を置いて配置されている。基材６２は複数の穴６４を含む。穴６４は、それぞれ導電線６１の個別の部分を表出させ、それによって積層６３が吸収性物品内に形成された場合、吸収性コアが穴６４を覆うように位置決めされている。穴６４は、長手方向に配分され、それによって各穴６４がその他の穴６４から長手方向に間隔を置いて配置され、長手方向に隣接する穴６４の間に液体排出物検出領域をもたらす。
【０１２２】
使用に際して、導電線６１を図５の左手側から電線１、２、３、および４のようにそれぞれ順に番号を付け、電位が第１の電線と第２の電線との間に印加可能であり、電線の第１の対を作動させ、電位が第２の電線と第３の電線との間に印加されて、電線６１の第２の導電性の対を作動させ得る。電位は第３の導電線６１と第４の導電線６１との間にも印加可能であり、導電線６１の第３の導電性の対も提供する。導電線６１の各対は、長手方向に隣接する穴６４の間で液体排出物検出領域と関連付けられる。領域は長手方向に配分される。吸収性コアが乾燥している場合には、実質的に導電線６１の第１から第３の対の間に延在する電流は実質的に全く検出されない。導電線６１の第１の対に関連付けられた穴６４を接続するように配置された湿潤した吸収性コアの場合には、電流が流れることが可能であり、それは電位発生装置によって判定され得、それによって液体排出物がこの検出領域にあることを示す。同様にして、液体排出物が導電線６１の第２または第３の対と関連付けられた穴６４を接続する場合、液体排出物が第２または第３の検出領域の長手方向位置にあるという判定がなされ得る。
【０１２３】
電気的に分離する導体の対の一部分を露出させる１対の穴によって形成されたそのような検出領域は、吸収性コアと接触するようになるバックシート６０の部分全体にわたって長手方向に配分され得る。たとえば、３個、４個、５個、６個、７個、８個、または９個以上のそのような検出領域が設けられ得る。当然のことながら、設けられる検出領域がより多いと、積層６３に組み込まれるべき導電線６１がより多くなり、また電位発生装置に作製されなければならない接点の数がより多くなり、それによって複雑さおよび製造コストが増す可能性がある。
【０１２４】
図５の積層６３は、製造の点で有利である可能性がある。機械の方向に、導電線６１を形成するための材料およびバックシート６０を形成するための材料と共に、基材６２を形成するための材料を供給することができる。これらの３つの流れの材料は、積層ステーションで一緒にされ、液体排出物検出積層６３を形成することができる。バックシートは、積層ステップの前、または積層ステップの後で穴６４と共に形成され得る。マーカは、穴６４をそれぞれの導電線６１と適切に位置合わせするために製造プロセスで使用され得る。積層６３は、吸収性物品の形成のための前駆体を形成する。それに続くステップには、バックシート６０の上に吸収性コアを配置し、それによって穴６４を覆うステップと、吸収性コアを上部シートとバックシート６０との間に挿入するステップが含まれる。
【０１２５】
導電線は、金属などの、特に銀の複数の導電糸またはワイヤ、コーティングされたポリマー糸、またはステンレス鋼ワイヤなどの金属ワイヤによって提供され得る。あるいは、基材６２を印刷またはコーティングステーションに供給することができ、それによってたとえば基材６２に導電性インクまたは導電性フォイルを適用し、続いてそれを積層ステーションに供給することができ、そこで基材６２がバックシート材料の裏側に積層される。
【０１２６】
積層６３の機械方向フィードは、吸収性物品を作製する際に使用されるロールに形成することができ、または吸収性物品を作製する際の従来のバックシート材料のように、フィードは吸収性物品形成プロセスに直接的に供給され得る。
【０１２７】
したがって、本発明は、吸収性コアがバックシートの本体側に配置された、バックシートを有する吸収性物品をいくつかの態様で提供する。バックシートの裏側では、液体排出物検出回路として導電性パターンを担持する基材が設けられ、液体排出物検出回路は電位発生装置に連結され、液体排出物検出を行い得る。少なくとも１つ、または複数の穴がバックシートを通って形成され、導電性パターンの部分を吸収性コアと連絡する。導電性パターンの露出された部分の長手方向に隣接する対は、吸収性コアの液体排出物を検出するための液体排出物検出領域を形成する。検出領域は吸収性コアに対して長手方向に配分される。
【０１２８】
長手方向軸に沿って最も外側に表出された部分（および複数の穴がある場合に関連付けられた穴）（すなわち最前部および最後部の露出された部分）が、好ましくは少なくとも０．１Ｌ、０．２Ｌ、０．３Ｌ、０．４Ｌ、および０．５Ｌで分離され、Ｌは長手方向中心軸に沿った吸収性コアの全長である。さらに、またはあるいは、吸収性コアの側方中心軸に最も近くに配置された、表出された部分の長手方向に隣接する対は、好ましくは０．８Ｌ未満、０．７未満、０．６Ｌ未満、および０．５未満の互いからの距離で配置される。さらに、またはあるいは、液体排出物検出領域または露出した部分が、好ましくは少なくとも０．５Ｌ、０．６Ｌ、０．７Ｌ、０．８Ｌ、および０．９Ｌにわたって配分される。
【０１２９】
図１および図２の実施形態では、吸収性コアが吸収性コアの第１および第２の層の形態で示される。これは、必ずしも該当するとは限らない。単一の一体化された吸収性コアを使用することができる。吸収性コアの構成は、図３から図５のその他の実施形態に同様に適用可能である。
【０１３０】
２、３、および５の実施形態では、複数の穴がバックシートに設けられ、液体排出物センサの下にある導電性部分を露出する。別の実施形態では、より少ない数の穴（または単に１つの穴）が設けられ、導電性部分を露出させる。たとえば、図３、および図５の実施形態で各導電性部材の一部分を露出する対角に向けられた穴、または図２の実施形態で各側方に向けられた導電性部材の一部分を露出する長手方向に向けられた穴を想起することができる。
【０１３１】
本出願は、特に成人失禁おむつに対して説明され、各実施形態に関する本明細書の教示は好ましくはそのようなおむつに使用される。それでも、液体排出物検出能力は、衛生タオル、乳児用、トドラー用（toddler）、および幼児用おむつ、ならびに液体排出物の存在、広がり（特に長手方向の広がり）、体積、または数を検出することを対象とし得るその他の吸収性物品などの、より広い範囲の吸収性物品に適用可能である。そのような情報は、マーケティング、分析、およびユーザケアの目的に関する対象であり得る。
【符号の説明】
【０１３２】
１  基材
２  導電性リード線
３  液体排出電極
４  共通の接触区域
５  吸収性物品
６  第１の吸収性コア
７  第２の吸収性コア
８  バックシート
９  後部ウエスト領域
１０  股領域
１１  前部ウエスト領域
１２  後部ウエスト縁部
１３  さらなる層
２０  基材
２１  導電性パターン
２２  導電線
２３  長手方向に延在する部分
２４  側方に延在する部分
２５  穴
２６  タブ部分
２７  さらなる層
３０  基材
３１  導電性部材
３２  バックシート
３３  吸収性コア
３４  穴
４０  吸収性物品
４１  バックシート
４２  基材
４３  導電性パターン
４４  穴
４５  第１の回路
４６  第２の回路
４７  ループ部分
４８  閉鎖端部
４９  開放端部
５０  接触部分
６０  バックシート
６１  導電線
６２  基材
６３  積層
６４  穴
【図１ａ】
2015500068.tif 000003
【図１ｂ】
2015500068.tif 000004
【図１ｃ】
2015500068.tif 000005
【図１ｄ】
2015500068.tif 000006
【図２ａ】
2015500068.tif 000007
【図２ｂ】
2015500068.tif 000008
【図２ｃ】
2015500068.tif 000009
【図２ｄ】
2015500068.tif 000010
【図２ｅ】
2015500068.tif 000011
【図３】
2015500068.tif 000012
【図４】
2015500068.tif 000013
【図５】
2015500068.tif 000014
【手続補正書】
【提出日】平成25年10月29日(2013.10.29)
【手続補正１】
【補正対象書類名】特許請求の範囲
【補正対象項目名】全文
【補正方法】変更
【補正の内容】
【特許請求の範囲】
【請求項１】
電気的絶縁性のバックシートであって、前記バックシートの本体側の吸収性コアおよび前記バックシートの裏側の少なくとも１つの液体排出物センサを有する電気的絶縁性のバックシートと、少なくとも１つの穴であって、前記少なくとも１つの液体排出物センサを前記吸収性コアと連絡し、それによって前記少なくとも１つの穴を介して前記液体排出物センサに関連付けられた前記吸収性コアの一部分が乾燥した状態から湿潤した状態に変わった場合に前記液体排出物センサが変化した電気特性を示すようにする前記バックシートを通る少なくとも１つの穴と、を備え、
前記少なくとも１つの液体排出物センサが前記少なくとも１つの穴によって吸収性コアと部分的に連絡された導電性部材によって提供され、前記少なくとも１つの液体排出物センサを形成する複数の導電線があり、その各電線が少なくとも１つの穴によって部分的に露出され、前記少なくとも１つの液体排出物センサがキャリアシートまたは基材に配置されることを特徴とする吸収性物品。
【請求項２】
前記液体排出物センサが、前記少なくとも１つの穴を貫通して前記吸収性コアと連絡する第１および第２の間隔を置いて配置された導電性経路を有するようになされ、それによって前記第１の導電性経路と前記第２の導電性経路との間に配置された前記吸収性コアの部分が乾燥状態から湿潤状態に変わった場合、前記湿潤した吸収性コアを通過する導電性ブリッジが前記第１の導電性経路と前記第２の導電性経路との間に形成されることを特徴とする請求項１に記載の吸収性物品。
【請求項３】
前記液体排出物センサが、前記バックシートの共通の穴を貫通して前記吸収性コアと連絡する第１および第２の導電性経路を有するようになされ、それによって前記第１の導電性経路と前記第２の導電性経路との間に配置された前記吸収性コアの部分が乾燥状態から湿潤状態に変わった場合、前記湿潤した吸収性コアを前記穴の中で通過する導電性ブリッジが前記第１の導電性経路と前記第２の導電性経路との間に形成されることを特徴とする請求項１または２に記載の吸収性物品。
【請求項４】
前記液体排出物センサが、前記バックシートのそれぞれの穴を通る前記吸収性コアと連絡する第１および第２の導電性経路を有するようになされ、それによって前記第１の導電性経路と前記第２の導電性経路との間に配置された前記吸収性コアの部分が乾燥状態から湿潤状態に変わった場合、前記湿潤した吸収性コアを前記穴の間で通過する導電性ブリッジが前記第１の導電性経路と前記第２の導電性経路との間に形成されることを特徴とする請求項１または２に記載の吸収性物品。
【請求項５】
複数の液体排出物センサが設けられ、それぞれが前記吸収性コアのそれぞれの領域での液体排出物の存在を判定することができ、複数の穴が前記バックシートにさらに設けられ、各液体排出物センサが前記バックシートの少なくとも１つの穴を通って前記吸収性コアと連絡することを特徴とする請求項１から４のいずれか一項に記載の吸収性物品。
【請求項６】
複数の穴が前記バックシートに設けられ、各穴が前記吸収性コアに液体排出物センサの下にある導電性の部分を露出することを特徴とする請求項１から５のいずれか一項に記載の吸収性物品。
【請求項７】
複数の前記穴、または各前記穴が長手方向に間隔を置いて配置され、長手方向軸が前記吸収性物品の前から後ろの方向に延在することを特徴とする請求項６に記載の吸収性物品。
【請求項８】
前記バックシートに複数の穴、および互いに電気的に絶縁され前記少なくとも１つの液体排出物センサを形成する複数の導電性経路があり、各前記穴がそれぞれの導電性経路を前記吸収性コアと連絡し、それによって吸収性コアが湿潤している場合に電流が１つの穴の前記導電性経路から別の穴の別の前記導電性経路に流れることができることを特徴とする請求項１から７のいずれか一項に記載の吸収性物品。
【請求項９】
前記バックシートが、前記少なくとも１つの穴を除いて、その他の点では前記吸収性コアから前記少なくとも１つの液体排出物センサを形成する導電性経路を電気的に絶縁することを特徴とする請求項１から８のいずれか一項に記載の吸収性物品。
【請求項１０】
前記少なくとも１つの穴の総面積が、前記吸収性物品が平坦に配置され前記吸収性コアが平面視された場合に、前記吸収性コアの総面積の５０％未満、４０％未満、３０％未満、２０％未満、または１０％未満であることを特徴とする請求項１から９のいずれか一項に記載の吸収性物品。
【請求項１１】
前記少なくとも１つの液体排出物センサを構成する導電性経路または電線の前記吸収性コアに露出された総面積が、吸収性物品が平坦に配置され吸収性コアを平面視した場合に前記導電性経路または電線の総面積の５０％未満、４０％未満、３０％未満、２０％未満、または１０％未満であることを特徴とする請求項１から１０のいずれか一項に記載の吸収性物品。
【請求項１２】
互いに側方に間隔を置いて配置された複数の長手方向に延在する導電線があり、長手方向軸が前記吸収性物品の前から後ろの方向にあることを特徴とする請求項１１に記載の吸収性物品。
【請求項１３】
各前記長手方向の導電線に対するそれぞれの穴があることを特徴とする請求項１２に記載の吸収性物品。
【請求項１４】
それぞれの側方の導電線に接続された複数の間隔を置いて配置された長手方向の導電線があり、前記側方の導電線が、互いに長手方向に間隔を置いて配置され、前記少なくとも１つの液体排出物センサを形成するために、前記少なくとも１つの穴が各前記側方の導電線の一部分を前記吸収性コアに露出することを特徴とする請求項１から１１のいずれか一項に記載の吸収性物品。
【請求項１５】
前記側方の電線の一部分を露出するそれぞれの穴があることを特徴とする請求項１４に記載の吸収性物品。
【請求項１６】
前記少なくとも１つの液体排出物センサが、オープンループを回って電流を送ることができる前記オープンループの形状で形成された少なくとも１つの導電性経路を備え、前記少なくとも１つの穴が外側のレッグの一部分および戻りレッグの一部分を前記吸収性コアに露出し、前記吸収性コアが前記レッグの前記露出された部分の間で湿潤している場合に、完全なオープンループ形状の導電性経路を回って流れる電流とは対照的に、短絡回路が前記レッグの前記露出された部分の間で形成されることを特徴とする請求項１から１１のいずれか一項に記載の吸収性物品。
【請求項１７】
前記外側のレッグおよび前記戻りレッグの前記露出された部分が側方に離隔していることを特徴とする請求項１６に記載の吸収性物品。
【請求項１８】
前記バックシートに複数の長手方向に間隔を置いて配置された穴を備え、前記穴が前記外側のレッグおよび前記戻りレッグのうちの少なくとも１つを前記ループに沿った長手方向に間隔を置いて配置された位置における前記吸収性コアに露出することを特徴とする請求項１６または１７に記載の吸収性物品。
【請求項１９】
長手方向に互いに対して逆に配置されている第１および第２のそのような導電性経路を備えることを特徴とする請求項１６、１７、または１８に記載の吸収性物品。
【請求項２０】
前記長手方向に間隔を置いて配置された穴が、それぞれ前記第１および前記第２の導電性経路の前記外側のレッグおよび前記戻りレッグの一部分を前記吸収性コアに露出することを特徴とする請求項１８に従属する請求項１９に記載の吸収性物品。
【請求項２１】
各複数の導電線の一部が、前記バックシートのそれぞれの穴によって前記吸収性コアと連絡していることを特徴とする請求項１に記載の吸収性物品。
【請求項２２】
前記キャリアシートが前記バックシートの前記裏側または裏面に取り付けられ、前記吸収性コアが前記バックシートの前面または本体側に配置されることを特徴とする請求項１に記載の吸収性物品。
【請求項２３】
前記キャリアシートと前記バックシートの組み合わせが液体不透過性バックライナの一部分であり、好ましくは第３の層を含み、前記第３の層が液体不透過性であり、前記キャリアシートの裏側の上に配置され、液体排出物が通過するのを防止することを特徴とする請求項１または２２に記載の吸収性物品。
【請求項２４】
前記バックシートが液体不透過性材料から作製され、前記バックシートがおむつのバックライナの少なくとも一部分であることを特徴とする請求項１から２３のいずれか一項に記載の吸収性物品。
【請求項２５】
前記吸収性物品が、液体透過性の本体側ライナも含み、前記吸収性コアが前記バックシートと前記本体側ライナとの間に挿入されていることを特徴とする請求項１から２４のいずれか一項に記載の吸収性物品。
【請求項２６】
前記少なくとも１つの液体排出物センサが、基材の本体側表面に印刷され、コーティングされ、または接着された複数の導電性部材から構成されることを特徴とする請求項１から２５のいずれか一項に記載の吸収性物品。
【請求項２７】
前記少なくとも１つの液体排出物センサから共通の接触区域に延在する複数の導電性リード線を含み、前記リード線が前記バックシートによって覆われている、請求項１から２６のいずれか一項に記載の吸収性物品。
【請求項２８】
複数の導電線が、前記バックシートによって部分的に覆われたキャリアシートまたは基材を形成する第１の電気絶縁性の層に配置され、前記バックシートの前記少なくとも１つの穴によって露出された前記導電線の部分が前記吸収性コアと電気的に連絡し、それによって前記少なくとも１つの液体排出物センサの電極をもたらし、前記バックシートによって覆われた前記導電線の部分が、各電極と制御ユニット取付け区域との間に延在するリードを含み、前記バックシートが、前記リード線が前記吸収性コアから電気的に絶縁されたことを確実にし、前記電極が、複数の長手方向に間隔を置いて配置された液体検出領域が設けられるように配置され、各検出領域が、前記吸収性コアが乾燥している場合には互いに電気的に分離され、制御ユニットが電位を対応するリード線に接続し、前記吸収性コアが湿潤している場合に、導電性ブリッジが前記湿潤した吸収性コアによって電極の対の間に形成されるように配置された、１対の電極の間に画成され、着用時には長手方向軸が前記吸収性物品の前から後ろの方向に延在することを特徴とする請求項１から２７のいずれか一項に記載の吸収性物品。
【請求項２９】
前記電極が細長く側方に向けられ、前記リード線が細長く長手方向に向けられ、前記バックシートの前記少なくとも１つの穴が、前記導電線を露出して各前記電極を形成する窓を形成する複数の側方に向けられた細長い穴を含むことを特徴とする請求項２８に記載の吸収性物品。
【請求項３０】
前記バックシートが、前記少なくとも１つの穴によって露出された前記液体排出物センサの導電性部分の周りの絶縁材料のフレームを提供することを特徴とする請求項１から２９のいずれか一項に記載の吸収性物品。
【請求項３１】
前記バックシートの前記少なくとも１つの穴が、導電線または部材の部分を前記吸収性コアに露出する窓を形成して複数の液体排出物センサを形成する前記バックシートの複数の穴を含み、前記窓が長手方向に間隔を置いて配置され、それによって前記導電線または部材の露出された部分の長手方向に間隔を置いて配置された対の間にそれぞれの液体排出物センサを形成することを特徴とする請求項１から３０のいずれか一項に記載の吸収性物品。
【請求項３２】
前記少なくとも１つの液体排出物センサを構成する導電線または部材が、前記少なくとも１つ穴のうちの一方の側の前記少なくとも１つの穴に延在し、前記少なくとも１つの穴をブリッジし、前記少なくとも１つの穴の反対側で前記少なくとも１つの穴から延長し続けることを特徴とする請求項１から３１のいずれか一項に記載の吸収性物品。
【請求項３３】
前記少なくとも１つの液体排出物センサが、前記少なくとも１つの穴を介して前記吸収性コアと連絡する複数の長手方向に間隔を置いて配置された導電性部材を備え、前記吸収性コアと連絡する最前部の導電性部材、および前記吸収性コアの前記前から後ろへの長手方向軸に沿った前記吸収性コアと連絡する最後部の導電性部材が、少なくとも０．１Ｌ、０．２Ｌ、０．３Ｌ、０．４Ｌ、または０．５Ｌ離れた距離に配置され、ここでＬは前記吸収性物品が平坦に配置され平面視された場合の前記吸収性コアの長手方向の全長であることを特徴とする請求項１から３２のいずれか一項に記載の吸収性物品。
【請求項３４】
前記少なくとも１つの液体排出物センサが、前記少なくとも１つの穴を介して前記吸収性コアと連絡する長手方向に隣接する導電性部材の少なくとも１つの、好ましくは複数の対を備え、隣接する導電性部材の前記対（または導電性部材の複数の対が提供された場合の前記吸収性コアの側方中心軸に最も近い対）が、０．８Ｌ、０．７Ｌ、０．６Ｌ、または０．５Ｌ以下で離れた距離に配置され、ここでＬは前記吸収性物品が平坦に配置され平面視された場合の前記吸収性コアの長手方向の全長であることを特徴とする請求項１から３３のいずれか一項に記載の吸収性物品。
【請求項３５】
前記少なくとも１つの液体排出物センサが少なくとも０．５Ｌ、０．６Ｌ、０．７Ｌ、０．８Ｌ、または０．９Ｌにわたって長手方向に配分された複数の液体排出物センサを備え、ここでＬは前記吸収性物品が平坦に配置された場合平面視されたときの前記吸収性コアの全長であることを特徴とする請求項１から３４のいずれか一項に記載の吸収性物品。
【請求項３６】
基材上に導電性パターンを用意するステップと、少なくとも１つの穴を含む吸収性物品用の電気絶縁性のバックシートの材料を用意するステップと、吸収性コアを用意するステップと、前記基材が前記バックシートの裏側に配置され、前記吸収性コアが前記バックシートの本体側に配置され、それによって前記導電性パターンの一部分が前記少なくとも１つの穴を介して前記吸収性コアに露出され、それにより、下位部分を接続する前記吸収性コアの部分が乾燥した状態から湿潤した状態に変化した場合に、電流が前記導電性パターンの前記一部分の前記下位部分の間で変更されるように前記吸収性物品を作製するステップであって、前記導電性パターンが複数の導電線を備える、ステップと、を含むことを特徴とする吸収性物品を作製する方法。
【請求項３７】
前記湿潤した吸収性コアの前記部分が、前記下位部分の間に導電性ブリッジを形成し、それによって前記乾燥した吸収性コアと比べて電気特性に測定可能な効果がもたらされることを特徴とする請求項３６の方法。
【請求項３８】
前記下位部分が、互いに電気的に分離した前記導電性パターンの一部分であり、前記湿潤した吸収性コアが前記電気的に分離された部分の間に導電性ブリッジをもたらすことを特徴とする請求項３６または３７に記載の方法。
【請求項３９】
前記下位部分が、電気的に接続された前記導電性パターンの一部分であるが、前記湿潤した吸収性コアが抵抗の低い導電性経路を提供する導電性ブリッジを形成することを特徴とする請求項３６または３７に記載の方法。
【請求項４０】
前記少なくとも１つの穴が複数の穴であり、各穴が導電性パターンの一部分を前記吸収性コアに露出することを特徴とする請求項３６から３９のいずれか一項に記載の方法。
【請求項４１】
前記複数の穴のうちの少なくともいくつかが、前記吸収性コアに沿って長手方向に間隔を置いて配置され、各複数の穴が前記導電性パターンの一部分を前記吸収性コアに露出することを特徴とする請求項４０に記載の方法。
【請求項４２】
前記導電性パターンの一部分をそれぞれ露出する少なくとも２個、３個、４個、５個、６個、７個、８個、または９個の前記バックシートの穴を備えることを特徴とする請求項３６から４０のいずれか一項に記載の方法。
【請求項４３】
前記導電線が、前記吸収性コアを通過する中央の長手方向軸に対して長手方向および／または側方に向けられ、したがって吸収性物品が平面視され平坦に配置された場合に細長くなっていることを特徴とする請求項３６に記載の方法。
【請求項４４】
前記少なくとも１つの穴によって前記吸収性コアに露出された前記導電性パターンの前記一部分が、前記長手方向の電線または前記側方の電線の部分であることを特徴とする請求項４３に記載の方法。
【請求項４５】
前記吸収性コアに露出された前記導電性パターンの前記一部分が前記導電性パターンの少ない割合の部分であることを特徴とする請求項３６から４４のいずれか一項に記載の方法。
【請求項４６】
前記導電性パターンの部分が、前記電気絶縁性の層によって前記湿潤した吸収性コアと導電性ブリッジを形成するのを防止され、それによって前記湿潤した吸収性コアを通る電流が前記導電性パターンの前記露出された部分によってのみ形成さることを特徴とする請求項３６から４５のいずれか一項に記載の方法。
【請求項４７】
前記防止された部分が、前記吸収性物品が平面視され平坦に配置された場合に前記吸収性コアの下に配置される、前記導電性パターンの区域の主要な部分であることを特徴とする請求項４６に記載の方法。
【請求項４８】
前記バックシートと前記基材の組み合わせが、前記吸収性物品の液体不透過性の外側ライナの少なくとも一部分を提供し、好ましくは第３の層が前記基材の裏側に設けられ、前記第３の層が液体不透過性であることを特徴とする請求項３６から４７のいずれか一項に記載の方法。
【請求項４９】
第１の電気絶縁性の層、および第１の電気絶縁層と第２の電気絶縁層との間に挿入された複数の導電線または部材とともに積層された第２の電気絶縁性の層を備える積層であって、各前記導電線または部材が、互いに電気的に分離し、前記第２の電気絶縁性の層が少なくとも１つの穴を含み、各前記導電線または部材の一部分を露出する積層と、
吸収性コアとを備える吸収性物品であって、
前記吸収性コアが前記第２の絶縁層に配置されて、前記露出された部分を前記吸収性コアで覆い、それによって前記吸収性コアが前記露出された部分の前記それぞれの位置で湿潤した場合、電流が前記露出された部分から前記吸収性コアに通過することができるようになっていることを特徴とする吸収性物品。
【請求項５０】
複数の穴が前記第２の絶縁層に設けられ、各穴が前記導電線または部材の一部分を露出することを特徴とする請求項４９に記載の吸収性物品。
【請求項５１】
前記穴のうちの少なくとも１つ、または少なくともいくつか、またはすべてが、その他の穴から長手方向に間隔を置いて配置されることを特徴とする請求項５０に記載の吸収性物品。
【請求項５２】
前記積層が細長く、前記導電線または部材の前記露出された部分の少なくとも１つ、いくつか、またはすべてが長手方向に離隔することを特徴とする請求項４９、５０、または５１に記載の吸収性物品。
【請求項５３】
少なくとも３個、４個、５個、６個、７個、８個、または９個以上の導電線または部材があることを特徴とする請求項４９から５２のいずれか一項に記載の吸収性物品。
【請求項５４】
複数の穴の対が前記第２の絶縁層を通して設けられ、前記対の前記穴が互いに長手方向または側方に間隔を置いて配置され、前記穴の対が互いに側方または長手方向に間隔を置いて配置され、各穴が前記導電線または部材の部分を露出させることを特徴とする請求項４９から５３のいずれか一項に記載の吸収性物品。
【請求項５５】
前記積層が液体不透過性であることを特徴とする請求項４９から５４のいずれか一項に記載の吸収性物品。
【請求項５６】
前記導電線が長手方向に向けられていることを特徴とする請求項４９から５５のいずれか一項に記載の吸収性物品。
【請求項５７】
前記導電線が、露出された部分のいずれかの側に導電線の延長方向に対して延長し続けることを特徴とする請求項４９から５６のいずれか一項に記載の吸収性物品。
【請求項５８】
前記導電線の前記露出された部分が、前記積層の長手方向に対して長手方向に配分され、少なくとも１ｃｍ、２ｃｍ、または３ｃｍの最小距離で１つまたは複数の隣接して露出された部分から長手方向に離隔され、２０ｃｍ、１５ｃｍ、または１０ｃｍの最大距離で離隔されていることを特徴とする請求項４９から５７のいずれか一項に記載の吸収性物品。
【請求項５９】
第１の電気絶縁性の層、および第１の電気絶縁性の層と第２の電気絶縁性の層との間に挿入された複数の導電線または部材とともに積層された第２の電気絶縁性の層を備える積層であって、各前記導電線または部材が、互いに電気的に分離し、前記第２の電気絶縁性の層が少なくとも１つの穴を含み、各前記導電線または部材の一部分を露出し、前記積層は吸収性コアが前記第２の絶縁層に配置可能であり、前記露出された部分を前記吸収性コアで覆い、それによって前記吸収性コアが前記露出された部分の前記それぞれの位置で湿潤した場合、電流が前記露出された部分から前記吸収性コアに通過することができるようになっている積層を用意するステップと、
吸収性物品のバックシートとして前記積層によって吸収性物品を形成するステップと、吸収性コアを第２の絶縁層に配置し、前記露出された部分が前記吸収性コアと電気的に接触するようにするステップと、前記バックシートと前記吸収性コアを含む前記吸収性物品を形成するステップと、
を含むことを特徴とする吸収性物品を製造する方法。
【請求項６０】
前記積層を提供するステップが、前記積層を作成するステップを含み、前記積層が前記第１の絶縁層を形成するための第１の材料のウェブ、前記第２の絶縁層を形成するための第２の材料のウェブを供給するステップ、および前記導電線または部材を前記第１の材料のウェブと前記第２の材料のウェブとの間に積層ステップで挿入するステップによって作製されることを特徴とする請求項５９に記載の方法。
【請求項６１】
前記少なくとも１つの穴を設けるために、前記第２の材料のウェブに少なくとも１つの穴を形成するステップを含むことを特徴とする請求項５９に記載の方法。
【請求項６２】
前記第１の材料のウェブに前記導電線または導電性部材を印刷、コーティング、または接着するステップを備えることを特徴とする請求項６０または６１に記載の方法。
【請求項６３】
糸またはワイヤの形態の複数の導電線を供給するステップと、前記積層ステップで前記導電線を前記第１の材料のウェブと前記第２の材料のウェブとの間に挿入するステップを含むことを特徴とする請求項６０または６１に記載の方法。
【請求項６４】
電気絶縁性の層の上側に延在し、吸収性物品の吸収性コアと電気的に接触する複数の導電線を備え、前記複数の導電線が前記電気絶縁性の層を通って延在し、第１の方向に前記電気絶縁性の層の下側に延在し、前記導電線が前記電気絶縁性の層の前記上側および下側に横断方向に延在し、それぞれのリード線が、前記電気絶縁性の層の前記下側の各導電線と、制御ユニット取付け領域との間に長手方向に延在することを特徴とする吸収性物品。
【請求項６５】
少なくとも２個、３個、４個、５個、６個、７個、８個、または９個以上の導電線があることを特徴とする請求項７０に記載の吸収性物品。
【請求項６６】
前記導電線のうちの少なくともいくつかが、互いに長手方向に間隔を置いて配置されることを特徴とする請求項６４または６５に記載の吸収性物品。
【請求項６７】
前記リード線が基材に配置され、前記基材が前記電気絶縁性の層の下側に取り付けられ、前記リード線と前記導電線を接続することを特徴とする請求項６４、６５、または６６に記載の吸収性物品。
【請求項６８】
前記電気絶縁性の層の下側での導電線の横断方向の延長が、前記制御ユニット取付け領域からの長手方向距離が増加すると漸進的に増加することを特徴とする請求項６４から６７のいずれか一項に記載の吸収性物品。
【請求項６９】
前記電気絶縁性の層の下側の少なくとも一部分が前記吸収性物品の裏側の外面を形成することを特徴とする請求項６４から６８のいずれか一項に記載の吸収性物品。
【請求項７０】
側方の前記導電線が、前記電気絶縁性の層に縫い込まれて前記電気絶縁性の層を通って延在して前記電気絶縁性の層の両側に横断方向に延在する導電糸であることを特徴とする請求項６４から６９のいずれか一項に記載の吸収性物品。
【請求項７１】
前記導電糸が、ワイヤまたは導電性材料がコーティングされたポリマー材料であることを特徴とする請求項７０の吸収性物品。
【請求項７２】
前記リード線が、前記電気絶縁性の層の下側に取り付けられた基材にコーティングされ、または印刷されることを特徴とする請求項６４から７１のいずれか一項に記載の吸収性物品。
【請求項７３】
前記基材が、前記リード線を形成するためにその上に堆積された導電性フォイルまたは導電性インクを有することを特徴とする請求項７２に記載の吸収性物品。
【請求項７４】
前記基材が前記制御ユニット取付け領域を形成する、請求項６７、７２または７３に記載の吸収性物品。
【請求項７５】
前記制御ユニット取付け区域が、好ましくは前記吸収性物品のウエスト縁部から突出する、突出するタブ様部材の形態であることを特徴とする請求項６７から７４のいずれか一項に記載の吸収性物品。
【請求項７６】
前記リード線が、長手方向のストライプのようにほとんどの部分に設けられていることを特徴とする請求項６７から７５のいずれか一項に記載の吸収性物品。
【請求項７７】
複数の導電性ユニットであって、それぞれバックシートを電気的に絶縁する本体側に配置された導電性部分、前記バックシートの裏側に配置され延在する導電線または部材、および前記導電線と前記導電性部分を前記バックシートに通過させることによって接続する導電性経路を備える複数の導電性ユニットを有する電気的に絶縁するバックシートを用意するステップと、複数の導電性リード線が配置された基材を用意するステップと、前記バックシートの前記裏側に前記基材を配置してリード線がそれぞれ前記バックシートの前記裏側の前記導電線または部材に接続するようにするステップを含む、吸収性物品を製造する方法であって、前記吸収性物品が前記バックシートの前記本体側に配置された吸収性コアを有して作製されて前記吸収性コアが乾燥状態から湿潤状態に変化した場合に前記バックシートの前記本体側の前記導電性部分が電気特性の変化を判定するために使用可能であることを特徴とする方法。
【請求項７８】
前記導電性リード線が、長さが交互に変わり、前記導電線または部材が、長さが交互に変わり、それによって各リード線が導電線と交差する際に他の導電線または部材とは交差しないことを特徴とする請求項７７に記載の方法。
【請求項７９】
各リード線が、電位発生装置と接触するための共通の接触区域に延在することを特徴とする請求項７７または７８に記載の方法。
【請求項８０】
前記基材が前記共通の接触区域を提供することを特徴とする請求項７７、７８、または７９に記載の方法。
【請求項８１】
前記基材が、前記共通の接触区域において前記バックシートから突出することを特徴とする請求項８０に記載の方法。
【請求項８２】
前記導電性部分が、前記吸収性コアが乾燥している場合に互いに電気的に分離され、前記導電線または部材が互いに電気的に分離され、前記導電性リード線が互いに電気的に分離され、導電性ブリッジが、前記吸収性コアが湿潤している場合に作動された導電性部分の間に形成され、前記吸収性コアが乾燥している場合には存在しないことを特徴とする請求項７７から８１のいずれか一項に記載の方法。
【請求項８３】
前記導電性部分が、前記バックシートの本体側に延在する導電線の形態であることを特徴とする請求項７７から８２のいずれか一項に記載の方法。
【請求項８４】
前記バックシートの前記本体側の前記導電線が、等しい長さのものであることを特徴とする請求項８３に記載の方法。
【請求項８５】
前記バックシートの前記本体側の前記導電線が側方に向けられ、互いに長手方向に間隔を置いて配置されることを特徴とする請求項８３または８４に記載の方法。
【請求項８６】
前記バックシートの前記裏側の前記導電線が側方に向けられていることを特徴とする請求項７７から８５のいずれか一項に記載の方法。
【請求項８７】
前記導電性リード線が、ほとんどの部分で、前記吸収性物品で構成されたように長手方向に向けられることを特徴とする請求項７７から８６のいずれか一項に記載の方法。
【請求項８８】
前記導電性ユニットの導電性経路と前記導電性部分を接続する各導電線または部材が連続していることを特徴とする請求項７７から８７のいずれか一項に記載の方法。
【請求項８９】
前記導電性ユニットが導電糸またはワイヤによって形成されることを特徴とする請求項７７から８８のいずれか一項に記載の方法。
【請求項９０】
方法が、前記吸収性物品の前記バックシートを通して前記導電糸を縫い付けるステップを含むことを特徴とする請求項８９に記載の方法。
【請求項９１】
前記導電性リード線が、フォイル、コーティング、または前記リード線を印刷することなどの前記基材上の層によってもたらされることを特徴とする請求項７７から９０のいずれか一項に記載の方法。
【請求項９２】
コーティング、接着、または印刷などにより、前記導電性リード線を前記基材に適用するステップを含むことを特徴とする請求項９１に記載の方法。
【国際調査報告】
2015500068.tif 000015
2015500068.tif 000016
2015500068.tif 000017
2015500068.tif 000018